(57)【特許請求の範囲】
【請求項１】
第１の方向をユーザの指示として入力する第１方向入力部と該第１の方向とは異なる第２の方向をユーザの指示として入力する第２方向入力部とを含む複数の入力部を有する入力装置を備え、各々の情報が３以上の任意の数の関連基準で該関連基準毎に他の情報と関連付けられた複数の情報からユーザの前記入力装置の操作に応じて選択された情報を順次表示装置に表示させることで、ユーザに情報を散策させる情報散策装置であって、
前記複数の情報のうちから任意の情報を、情報の散策を開始するための特定情報として設定する開始時特定情報設定手段と、
前記複数の情報のうちで現時点で特定情報として設定されている情報を前記表示装置上の特定位置に表示させる特定情報表示手段と、
前記特定情報表示手段により前記表示装置に表示されている特定情報を他の情報と関連付ける関連基準のうちから選択された選択関連基準により前記特定情報と関連付けられた特定関連情報を、前記表示装置において該特定位置を通る所定の位置でユーザに認識される選択軸上に、所定の順序で並べて表示させる関連情報表示手段と、
前記複数の情報のうちで前記選択関連基準以外の非選択関連基準の各々により前記特定情報と関連付けられた非特定関連情報を、前記特定関連情報が表示されている表示装置において前記選択軸とは異なる前記特定情報を通る位置で該非選択関連基準毎にユーザに認識される非選択軸上に、所定の順序で並べて表示させる非特定関連情報表示手段と、
前記特定情報表示手段により前記特定位置に表示されている特定情報を以て情報の選択を確定させるかどうかを、前記入力装置が備える入力部のうちの前記第１方向入力部及び前記第２方向入力部とは異なる確定入力部に対するユーザの操作により選択させる情報確定選択手段と、
前記関連情報表示手段により前記選択軸上に表示された特定関連情報のうちで前記特定情報に隣接して表示されている特定関連情報を、前記第１方向入力部に対するユーザの操作により選択させる特定関連情報選択手段と、
前記第１方向入力部に対するユーザの操作に応じて前記特定関連情報選択手段により選択された特定関連情報を、さらに情報の散策を継続するための新たな特定情報として、これまでに設定されていた特定情報に代えて設定して、前記選択関連基準により該新たな特定情報と関連付けられた特定関連情報を前記選択軸上に表示させるとともに、前記非選択関連基準により該新たな特定情報と関連付けられた非特定関連情報を前記非選択軸上に表示させる継続時特定情報設定手段と、
前記非選択軸上に非特定関連情報を表示させている非選択関連基準の何れかを、前記第２方向入力部に対するユーザの操作により選択させる非選択関連基準選択手段と、
前記第２方向入力部に対するユーザの操作に応じて前記非選択関連基準選択手段により選択された非選択関連基準を、さらに情報の散策を継続するための新たな選択関連基準として、これまでに設定されていた選択関連基準に代えて設定するとともにこれまでに設定されていた選択関連基準を新たに非選択関連基準に設定して、該新たな選択関連基準により前記特定情報と関連付けられた特定関連情報を前記選択軸上に表示させるとともに該新たな非選択関連基準により前記特定情報と関連付けられた非特定関連情報を前記非選択軸上に表示させる継続時選択関連基準設定手段と
を備えることを特徴とする情報散策装置。
【請求項２】
前記複数の情報のうちで情報の散策を開始するための特定情報として設定することが可能な情報を前記表示装置に一覧表示させる一覧表示手段と、
前記一覧表示手段により一覧表示された情報のうちの所望の情報を、前記入力装置が備える入力部のうちの前記第１方向入力部及び前記第２方向入力部とは異なる所定の入力部に対するユーザの操作により選択させる一覧情報選択手段とをさらに備え、
前記開始時特定情報設定手段は、前記一覧情報選択手段により選択された情報を特定情報として設定する
ことを特徴とする請求項１に記載の情報散策装置。
【請求項３】
前記特定情報の設定の履歴と前記選択関連基準の選択の履歴とを特定可能な情報を記憶装置に記憶させる履歴記憶手段と、
前記入力装置が備える入力部のうちの前記第１方向入力部、前記第２方向入力部及び前記確定入力部とは異なる復元入力部に対するユーザの操作により履歴の状態を復元する旨が指示されたときに、前記複数の情報のうちで前記履歴記憶手段に記憶された履歴に応じた情報を前記表示手段に表示させる履歴状態復元手段をさらに備える
ことを特徴とする請求項１または２に記載の情報散策装置。
【請求項４】
前記情報確定選択手段により前記表示装置に表示されている特定情報を以て情報の選択を確定させる旨が選択されたときに、当該情報の選択の確定された特定情報に応じて定められた処理を行う選択処理手段とをさらに備える
ことを特徴とする請求項１乃至３のいずれか１項に記載の情報散策装置。
【請求項５】
各々の情報がそれぞれ異なる関連基準に対応した複数の個別情報から構成される複数の情報を記憶する情報記憶手段から情報を抽出する情報抽出手段をさらに備え、
前記関連情報表示手段は、前記選択関連基準に対応した個別情報のみが互いに異なる情報を前記情報抽出手段に抽出させ、該抽出させた情報を前記特定関連情報として前記表示装置に表示させる
ことを特徴とする請求項１乃至４のいずれか１項に記載の情報散策装置。
【請求項６】
各々の関連基準により互いに関連付けられる情報の集合体である関連基準情報集合を前記関連基準毎に記憶する情報記憶手段から、いずれかの関連基準情報集合を検索する情報検索手段をさらに備え、
前記関連情報表示手段は、前記選択関連基準に対応した関連基準情報集合を前記情報検索手段に検索させ、該索出された関連基準情報集合に含まれる情報のうちで前記特定情報以外の情報を前記特定関連情報として前記表示装置に表示させる
ことを特徴とする請求項１乃至４のいずれか１項に記載の情報散策装置。
【請求項７】
それぞれ他の情報と関連付ける関連基準を特定する関連基準情報を含む複数の情報を記憶する情報記憶手段から、同一の関連基準情報を含む他の情報を検索する情報検索手段をさらに備え、
前記関連情報表示手段は、前記選択関連基準に対応した関連基準情報を含む情報を前記情報検索手段に検索させ、該索出された情報のうちで前記特定情報以外の情報を前記特定関連情報として前記表示装置に表示させる
ことを特徴とする請求項１乃至４のいずれか１項に記載の情報散策装置。
【請求項８】
前記関連情報表示手段は、前記特定関連情報を、前記特定情報との関連性の高さに応じた順番で前記表示装置に表示させる
ことを特徴とする請求項１乃至７のいずれか１項に記載の情報散策装置。
【請求項９】
前記特定情報表示手段は、現時点で特定情報として設定されている情報を前記表示装置上の特定位置に表示させ、
前記関連情報表示手段は、前記特定位置に前記特定情報として設定されている情報が表示されている表示装置上の該特定位置を基準として定められる位置に前記特定関連情報を表示させる
ことを特徴とする請求項１乃至８のいずれか１項に記載の情報散策装置。
【請求項１０】
前記関連情報表示手段は、前記特定関連情報を前記特定情報よりも小さく表示させる
ことを特徴とする請求項９に記載の情報散策装置。
【請求項１１】
前記関連情報表示手段は、前記特定関連情報のうちで予め定められた所定数の情報を前記表示装置に表示させる
ことを特徴とする請求項１乃至１０のいずれか１項に記載の情報散策装置。
【請求項１２】
第１の方向をユーザの指示として入力する第１方向入力部と該第１の方向とは異なる第２の方向をユーザの指示として入力する第２方向入力部とを含む複数の入力部を有する入力装置、情報を表示する表示装置と、データを記憶する記憶装置とを備えるコンピュータ装置において実行され、前記入力装置の操作に応じて各々の情報が３以上の任意の数の関連基準で該関連基準毎に他の情報と関連付けられた複数の情報から選択された情報を順次表示装置に表示させることで、ユーザに情報を散策させる方法であって、
前記複数の情報のうちから任意の情報を情報の散策を開始するための特定情報として設定し、該設定した特定情報を示すデータを前記記憶装置に記憶させるステップと、
前記記憶装置に記憶されている特定情報を示すデータに基づいて、前記複数の情報のうちで現時点で特定情報として設定されている情報を前記表示装置上の所定の位置に表示させるステップと、
前記表示装置に表示されている特定情報を他の情報と関連付ける関連基準のうちから選択された選択関連基準により前記特定情報と関連付けられた特定関連情報を、前記表示装置において該特定位置を通る所定の位置でユーザに認識される選択軸上に、所定の順序で並べて表示させるステップと、
前記複数の情報のうちで前記選択関連基準以外の非選択関連基準の各々により前記特定情報と関連付けられた非特定関連情報を、前記特定関連情報が表示されている表示装置において前記選択軸とは異なる前記特定情報を通る位置で該非選択関連基準毎にユーザに認識される非選択軸上に、所定の順序で並べて表示させるステップと、
前記特定位置に表示されている特定情報を以て情報の選択を確定させるかどうかを選択するための指示を、前記入力装置が備える入力部のうちの前記第１方向入力部及び前記第２方向入力部とは異なる確定入力部に対するユーザの操作により入力させるステップと、
前記選択軸上に表示された特定関連情報のうちで前記特定情報に隣接して表示されている特定関連情報を選択するための指示を、前記第１方向入力部に対するユーザの操作により入力させるステップと、
前記第１方向入力部に対するユーザの操作に応じて前記特定関連情報のうちから選択された情報を、さらに情報の散策を継続するための特定情報として新たに設定し、該新たに設定した特定情報を示すデータをこれまで記憶されていた特定情報を示すデータから更新して前記記憶装置に記憶させ、前記選択関連基準により該新たな特定情報と関連付けられた特定関連情報を前記選択軸上に表示させるとともに、前記非選択関連基準により該新たな特定情報と関連付けられた非特定関連情報を前記非選択軸上に表示させるステップと、
前記非選択軸上に非特定関連情報を表示させている非選択関連基準の何れかを選択するための指示を、前記第２方向入力部に対するユーザの操作により入力させるステップと、
前記第２方向入力部に対するユーザの操作に応じて選択された非選択関連基準を、さらに情報の散策を継続するための選択関連基準として、これまでに設定されていた選択関連基準に代えて新たに設定するとともにこれまでに設定されていた選択関連基準を新たに非選択関連基準に設定して、該新たな選択関連基準により前記特定情報と関連付けられた特定関連情報を前記選択軸上に表示させるとともに該新たな非選択関連基準により前記特定情報と関連付けられた非特定関連情報を前記非選択軸上に表示させるステップと
を含むことを特徴とする情報散策方法。
【請求項１３】
第１の方向をユーザの指示として入力する第１方向入力部と該第１の方向とは異なる第２の方向をユーザの指示として入力する第２方向入力部とを含む複数の入力部を有する入力装置、情報を表示する表示装置と、データを記憶する記憶装置とを備えるコンピュータ装置において実行され、前記入力装置の操作に応じて各々の情報が３以上の任意の数の関連基準で該関連基準毎に他の情報と関連付けられた複数の情報から選択された情報を順次表示装置に表示させることで、ユーザに情報を散策させるためのプログラムであって、
前記複数の情報のうちから任意の情報を情報の散策を開始するための特定情報として設定し、該設定した特定情報を示すデータを前記記憶装置に記憶させるステップと、
前記記憶装置に記憶されている特定情報を示すデータに基づいて、前記複数の情報のうちで現時点で特定情報として設定されている情報を前記表示装置上の所定の位置に表示させるステップと、
前記表示装置に表示されている特定情報を他の情報と関連付ける関連基準のうちから選択された選択関連基準により前記特定情報と関連付けられた特定関連情報を、前記表示装置において該特定位置を通る所定の位置でユーザに認識される選択軸上に、所定の順序で並べて表示させるステップと、
前記複数の情報のうちで前記選択関連基準以外の非選択関連基準の各々により前記特定情報と関連付けられた非特定関連情報を、前記特定関連情報が表示されている表示装置において前記選択軸とは異なる前記特定情報を通る位置で該非選択関連基準毎にユーザに認識される非選択軸上に、所定の順序で並べて表示させるステップと、
前記特定位置に表示されている特定情報を以て情報の選択を確定させるかどうかを選択するための指示を、前記入力装置が備える入力部のうちの前記第１方向入力部及び前記第２方向入力部とは異なる確定入力部に対するユーザの操作により入力させるステップと、
前記選択軸上に表示された特定関連情報のうちで前記特定情報に隣接して表示されている特定関連情報を選択するための指示を、前記第１方向入力部に対するユーザの操作により入力させるステップと、
前記第１方向入力部に対するユーザの操作に応じて前記特定関連情報のうちから選択された情報を、さらに情報の散策を継続するための特定情報として新たに設定し、該新たに設定した特定情報を示すデータをこれまで記憶されていた特定情報を示すデータから更新して前記記憶装置に記憶させ、前記選択関連基準により該新たな特定情報と関連付けられた特定関連情報を前記選択軸上に表示させるとともに、前記非選択関連基準により該新たな特定情報と関連付けられた非特定関連情報を前記非選択軸上に表示させるステップと、
前記非選択軸上に非特定関連情報を表示させている非選択関連基準の何れかを選択するための指示を、前記第２方向入力部に対するユーザの操作により入力させるステップと、
前記第２方向入力部に対するユーザの操作に応じて選択された非選択関連基準を、さらに情報の散策を継続するための選択関連基準として、これまでに設定されていた選択関連基準に代えて新たに設定するとともにこれまでに設定されていた選択関連基準を新たに非選択関連基準に設定して、該新たな選択関連基準により前記特定情報と関連付けられた特定関連情報を前記選択軸上に表示させるとともに該新たな非選択関連基準により前記特定情報と関連付けられた非特定関連情報を前記非選択軸上に表示させるステップと
を前記コンピュータ装置に実行させることを特徴とするプログラム。
【請求項１４】
第１の方向をユーザの指示として入力する第１方向入力部と該第１の方向とは異なる第２の方向をユーザの指示として入力する第２方向入力部とを含む複数の入力部を有する入力装置、情報を表示する表示装置と、データを記憶する記憶装置とを備えるコンピュータ装置において実行され、前記入力装置の操作に応じて各々の情報が３以上の任意の数の関連基準で該関連基準毎に他の情報と関連付けられた複数の情報から選択された情報を順次表示装置に表示させることで、ユーザに情報を散策させるためのプログラムを記録した記録媒体であって、
前記プログラムは、
前記複数の情報のうちから任意の情報を情報の散策を開始するための特定情報として設定し、該設定した特定情報を示すデータを前記記憶装置に記憶させるステップと、
前記記憶装置に記憶されている特定情報を示すデータに基づいて、前記複数の情報のうちで現時点で特定情報として設定されている情報を前記表示装置上の所定の位置に表示させるステップと、
前記表示装置に表示されている特定情報を他の情報と関連付ける関連基準のうちから選択された選択関連基準により前記特定情報と関連付けられた特定関連情報を、前記表示装置において該特定位置を通る所定の位置でユーザに認識される選択軸上に、所定の順序で並べて表示させるステップと、
前記複数の情報のうちで前記選択関連基準以外の非選択関連基準の各々により前記特定情報と関連付けられた非特定関連情報を、前記特定関連情報が表示されている表示装置において前記選択軸とは異なる前記特定情報を通る位置で該非選択関連基準毎にユーザに認識される非選択軸上に、所定の順序で並べて表示させるステップと、
前記特定位置に表示されている特定情報を以て情報の選択を確定させるかどうかを選択するための指示を、前記入力装置が備える入力部のうちの前記第１方向入力部及び前記第２方向入力部とは異なる確定入力部に対するユーザの操作により入力させるステップと、
前記選択軸上に表示された特定関連情報のうちで前記特定情報に隣接して表示されている特定関連情報を選択するための指示を、前記第１方向入力部に対するユーザの操作により入力させるステップと、
前記第１方向入力部に対するユーザの操作に応じて前記特定関連情報のうちから選択された情報を、さらに情報の散策を継続するための特定情報として新たに設定し、該新たに設定した特定情報を示すデータをこれまで記憶されていた特定情報を示すデータから更新して前記記憶装置に記憶させ、前記選択関連基準により該新たな特定情報と関連付けられた特定関連情報を前記選択軸上に表示させるとともに、前記非選択関連基準により該新たな特定情報と関連付けられた非特定関連情報を前記非選択軸上に表示させるステップと、
前記非選択軸上に非特定関連情報を表示させている非選択関連基準の何れかを選択するための指示を、前記第２方向入力部に対するユーザの操作により入力させるステップと、
前記第２方向入力部に対するユーザの操作に応じて選択された非選択関連基準を、さらに情報の散策を継続するための選択関連基準として、これまでに設定されていた選択関連基準に代えて新たに設定するとともにこれまでに設定されていた選択関連基準を新たに非選択関連基準に設定して、該新たな選択関連基準により前記特定情報と関連付けられた特定関連情報を前記選択軸上に表示させるとともに該新たな非選択関連基準により前記特定情報と関連付けられた非特定関連情報を前記非選択軸上に表示させるステップと
を前記コンピュータ装置に実行させることを特徴とするコンピュータ読み取り可能な記録媒体。
【発明の詳細な説明】
【技術分野】
【０００１】
本発明は、複数の情報のうちからユーザの嗜好に沿った情報を探し当てるべく情報を散策するための技術に関する。
【背景技術】
【０００２】
ユーザが視聴するテレビ番組を選択する場合、チャンネルを切り替えて画面を見ながら所望の内容の番組が表示されたときに、それでチャンネルの選択を確定させる。或いは、テレビの番組表を見て所望の番組を選択し、当該番組の放送時間になったらチャンネルを切り替えて視聴することとなる。番組のビデオ録画を予約する場合などは、このうち後者の方法が使われている。
【０００３】
近年では、このような番組を選択するための番組表として、電子番組表（ＥＰＧ）が提供されている。電子番組表では、旧来の紙媒体の番組表と違って、異なる番組同士を比較するためにその表示方法を加工したり、番組の詳細情報を表示することのできるものがある（例えば、特許文献１参照）。電子番組表によれば、複数の番組のうちからユーザが所望する番組を探し出すことが旧来の紙媒体の番組表よりも容易になる。
【０００４】
また、テレビ番組の選択にも適用できるものであるが、従来より、ユーザが所望する情報を探し出すための技術として、検索エンジンが知られている。検索エンジンは、一般に、ユーザが探し出したい情報に対応したキーワードを入力することにより、該キーワードに対応した情報が一覧として提供されるものである（例えば、特許文献２参照）。この技術を組み込んで、電子番組表を検索して番組を選択するものとしたものもある。
【０００５】
【特許文献１】特開２００４−３６３８８５（図２、段落００４３等）
【特許文献２】特開平１１−２８２８７０（段落０００２等）
【発明の開示】
【発明が解決しようとする課題】
【０００６】
ところで、近年の放送通信技術の発展に伴って、ユーザが視聴できる番組も旧来の地上波放送番組からＢＳ放送、ＣＳ放送、さらにはオンデマンド放送など、その選択肢が拡がってきている。さらには、放送番組に関連した情報は、メディアミックスにより様々な媒体で提供されるようになってきている。このようなことは、今後ますます拡がっていく傾向にある。このため、膨大な情報の中からユーザが所望の情報を探し出すという技術の重要性が増してきている。
【０００７】
従来のような電子番組表を用いた番組の選択では、検索エンジンその他の検索機能が適用されていたとしても、結局のところ探し出したい番組の内容を予めある程度絞り込んでおかなければならない。これに対して、ユーザが積極的に選択した訳ではないがたまたま放送されていた番組が、偶然にユーザの嗜好に沿ったものとなることがあるのは、旧来からのテレビ放送を視聴していた場合にもよくあったことである。
【０００８】
しかし、ユーザに提供される情報の種類が多くなれば、一般的な考え方に従えば個々のユーザの嗜好の範囲も狭くなるので、このような偶然に当たることは難しくなってくる。また、偶然に嗜好に沿った情報が得られたときには、当該情報に関連する他の情報も得たいと思うユーザも多いが、偶然に得られた情報がユーザにとって目新しいものであった場合には、これに関連する他の情報を探し出すことは、馴染みのある情報を探し出すことよりも難しいものとなる。しかし、従来は、ユーザにとって目新しい情報である場合に、これに関連する情報を容易に探し出すための方法として好ましい技術はあまりなかった。
【０００９】
本発明は、ユーザが目的とする情報を予め決めておかなくても、互いに複雑に関連付けられた複数の情報の中からユーザの嗜好に沿った情報を容易に探し出すことができる情報散策装置及び方法、並びにそのためのプログラム及び記録媒体を提供することを目的とする。
【課題を解決するための手段】
【００１０】
上記目的を達成するため、本発明の第１の観点にかかる情報散策装置は、第１の方向をユーザの指示として入力する第１方向入力部と該第１の方向とは異なる第２の方向をユーザの指示として入力する第２方向入力部とを含む複数の入力部を有する入力装置を備え、各々の情報が３以上の任意の数の関連基準で該関連基準毎に他の情報と関連付けられた複数の情報からユーザの前記入力装置の操作に応じて選択された情報を順次表示装置に表示させることで、ユーザに情報を散策させる情報散策装置であって、前記複数の情報のうちから任意の情報を、情報の散策を開始するための特定情報として設定する開始時特定情報設定手段と、前記複数の情報のうちで現時点で特定情報として設定されている情報を前記表示装置上の特定位置に表示させる特定情報表示手段と、前記特定情報表示手段により前記表示装置に表示されている特定情報を他の情報と関連付ける関連基準のうちから選択された選択関連基準により前記特定情報と関連付けられた特定関連情報を、前記表示装置において該特定位置を通る所定の位置でユーザに認識される選択軸上に、所定の順序で並べて表示させる関連情報表示手段と、前記複数の情報のうちで前記選択関連基準以外の非選択関連基準の各々により前記特定情報と関連付けられた非特定関連情報を、前記特定関連情報が表示されている表示装置において前記選択軸とは異なる前記特定情報を通る位置で該非選択関連基準毎にユーザに認識される非選択軸上に、所定の順序で並べて表示させる非特定関連情報表示手段と、前記特定情報表示手段により前記特定位置に表示されている特定情報を以て情報の選択を確定させるかどうかを、前記入力装置が備える入力部のうちの前記第１方向入力部及び前記第２方向入力部とは異なる確定入力部に対するユーザの操作により選択させる情報確定選択手段と、前記関連情報表示手段により前記選択軸上に表示された特定関連情報のうちで前記特定情報に隣接して表示されている特定関連情報を、前記第１方向入力部に対するユーザの操作により選択させる特定関連情報選択手段と、前記第１方向入力部に対するユーザの操作に応じて前記特定関連情報選択手段により選択された特定関連情報を、さらに情報の散策を継続するための新たな特定情報として、これまでに設定されていた特定情報に代えて設定して、前記選択関連基準により該新たな特定情報と関連付けられた特定関連情報を前記選択軸上に表示させるとともに、前記非選択関連基準により該新たな特定情報と関連付けられた非特定関連情報を前記非選択軸上に表示させる継続時特定情報設定手段と、前記非選択軸上に非特定関連情報を表示させている非選択関連基準の何れかを、前記第２方向入力部に対するユーザの操作により選択させる非選択関連基準選択手段と、前記第２方向入力部に対するユーザの操作に応じて前記非選択関連基準選択手段により選択された非選択関連基準を、さらに情報の散策を継続するための新たな選択関連基準として、これまでに設定されていた選択関連基準に代えて設定するとともにこれまでに設定されていた選択関連基準を新たに非選択関連基準に設定して、該新たな選択関連基準により前記特定情報と関連付けられた特定関連情報を前記選択軸上に表示させるとともに該新たな非選択関連基準により前記特定情報と関連付けられた非特定関連情報を前記非選択軸上に表示させる継続時選択関連基準設定手段とを備えることを特徴とする。
【００１１】
上記情報散策装置では、各々の情報が任意の数の関連基準で関連基準毎に他の情報と関連付けられている。そのうちの１の情報が特定情報として最初に設定される。この特定情報を他の情報と関連付ける関連基準のうちからいずれかが選択関連基準として選択され、当該選択関連基準により特定情報と関連付けられた特定情報以外の特定関連情報が、表示装置に表示される。表示された特定関連情報のうちから選択された情報が新たな特定情報として設定される。さらに、新たに設定された特定情報を他の情報と関連付ける関連基準からいずれかを選択関連基準として新たに選択し、当該選択関連基準により新たな特定情報と関連付けられた特定関連情報のうちからいずれかの情報を選択すると、選択された情報がさらに新たな特定情報として設定される。こうして次々と関連基準と特定関連情報のうちから情報の選択を行うことで、次々と特定情報が変わっていく。
【００１２】
ここで、特定情報を他の情報と関連付ける関連基準のうちから、ユーザは第２方向入力部の操作により所望の関連基準を選択関連基準として選択することができる。すると、ユーザの所望する関連基準で特定情報と関連する情報が特定関連情報として表示される。そして、ユーザの所望の関連基準で現時点の特定情報と関連する特定関連情報から、ユーザは任意の所望の情報を新たな特定情報として選択することができる。このようにユーザの意志で関連基準及び情報が選択されていくので、一時点で設定されている特定情報の次に設定された特定情報は、よりユーザの嗜好に沿った情報に近い情報となる。このような選択を続けていくことで、ユーザの望む情報に辿り着くことができるようになる。また、一時には比較的関連性の高い情報間で特定情報が変更されていくことから、ユーザが予め目的とする情報を決めておかなくても、ユーザの嗜好に沿った情報を探し出すことができるようになる。また、ユーザは、選択関連基準以外の非選択関連基準により特定情報と関連付けられた他の情報も、選択関連基準により特定情報と関連付けられた情報と同時に、視覚的に捉えることができるようになる。
【００１３】
上記情報散策装置は、前記複数の情報のうちで情報の散策を開始するための特定情報として設定することが可能な情報を前記表示装置に一覧表示させる一覧表示手段と、前記一覧表示手段により一覧表示された情報のうちの所望の情報を、ユーザの指示により選択させる一覧情報選択手段とをさらに備えていてもよい。この場合において、前記開始時特定情報設定手段は、前記一覧情報選択手段により選択された情報を特定情報として設定するものとすることができる。
【００１４】
このように一覧表示された情報からユーザの指示により所望の情報を、情報の散策を開始させるための最初の特定情報となる情報として選択させることで、ユーザの所望する情報にさらに容易に辿り着くことができるようになる。
【００１７】
上記情報散策装置は、前記特定情報の設定の履歴と前記選択関連基準の選択の履歴とを特定可能な情報を記憶装置に記憶させる履歴記憶手段と、前記入力装置が備える入力部のうちの前記第１方向入力部、前記第２方向入力部及び前記確定入力部とは異なる復元入力部に対するユーザの操作により履歴の状態を復元する旨が指示されたときに、前記複数の情報のうちで前記履歴記憶手段に記憶された履歴に応じた情報を前記表示手段に表示させる履歴状態復元手段をさらに備えるものとすることができる。
【００１８】
なお、前記履歴記憶手段は、前記特定情報が新たに設定される度、及び前記選択関連基準が新たに選択される度に、前記特定情報の設定の履歴と前記選択関連基準の選択の履歴とを特定可能な情報を自動的に記憶装置に記憶させるものとしてもよい。また、前記履歴記憶手段は、ユーザにより履歴を記録する旨が指示されたときに、前記特定情報の設定の履歴と前記選択関連基準の選択の履歴とを特定可能な情報を記憶装置に記憶させるものとしてもよい。さらに、この両者を併用するものとしてもよい。
【００１９】
この場合、特定情報の選択の変更と選択関連基準の選択の変更とが繰り返されていくうちに、特定情報が却って自分の所望する情報から遠ざかっていると思われたときでも、以前の特定情報及び選択関連基準の選択状態に戻ってから、特定情報を及び選択関連基準の選択をやり直すことができ、ユーザが所望する情報の選択が容易になる。
【００２０】
上記情報散策装置は、前記情報確定選択手段により前記表示装置に表示されている特定情報を以て情報の選択を確定させる旨が選択されたときに、当該情報の選択の確定された特定情報に応じて定められた処理を行う選択処理手段とをさらに備えるものとすることができる。
【００２１】
このように情報確定選択手段からの入力によって、特定情報に応じて定められた処理を行うものとすることで、ユーザは、自己が行いたいと思う処理を視覚的に捉えて選択していくことができるようになる。
【００２２】
上記情報散策装置は、各々の情報がそれぞれ異なる関連基準に対応した複数の個別情報から構成される複数の情報を記憶する情報記憶手段から情報を抽出する情報抽出手段をさらに備えるものであってもよい。この場合において、前記関連情報表示手段は、前記選択関連基準に対応した個別情報のみが互いに異なる情報を前記情報抽出手段に抽出させ、該抽出させた情報を前記特定関連情報として前記表示装置に表示させることができる。
【００２３】
上記情報散策装置は、各々の関連基準により互いに関連付けられる情報の集合体である関連基準情報集合を前記関連基準毎に記憶する情報記憶手段から、いずれかの関連基準情報集合を検索する情報検索手段をさらに備えるものであってもよい。この場合において、前記関連情報表示手段は、前記選択関連基準に対応した関連基準情報集合を前記情報検索手段に検索させ、該索出された関連基準情報集合に含まれる情報のうちで前記特定情報以外の情報を前記特定関連情報として前記表示装置に表示させることができる。
【００２４】
上記情報散策装置は、それぞれ他の情報と関連付ける関連基準を特定する関連基準情報を含む複数の情報を記憶する情報記憶手段から、同一の関連基準情報を含む他の情報を検索する情報検索手段をさらに備えるものであってもよい。この場合において、前記関連情報表示手段は、前記選択関連基準に対応した関連基準情報を含む情報を前記情報検索手段に検索させ、該索出された情報のうちで前記特定情報以外の情報を前記特定関連情報として前記表示装置に表示させることができる。
【００２５】
上記情報散策装置において、前記関連情報表示手段は、前記特定関連情報を、前記特定情報との関連性の高さに応じた順番で前記表示装置に表示させることができる。
【００２６】
このように選択関連基準により特定情報と関連付けられた特定関連情報を、特定情報との関連性の高さに応じた順番で表示させることで、どのように新たな特定情報を選択していけば現在の特定情報からユーザが所望する情報に辿り着けるかが視覚的に分かりやすくなる。
【００２７】
上記情報散策装置において、前記特定情報表示手段は、現時点で特定情報として設定されている情報を前記表示装置上の特定位置に表示させることができ、前記関連情報表示手段は、前記特定位置に前記特定情報として設定されている情報が表示されている表示装置上の該特定位置を基準として定められる位置に前記特定関連情報を表示させることができる。
【００２８】
この場合において、前記関連情報表示手段は、前記特定関連情報を前記特定情報よりも小さく表示させるものであってもよい。
【００２９】
このように特定情報が表示装置上の特定位置に表示されることで、現時点で特定情報として選択されている情報が、ユーザにとって視覚的に分かりやすくなる。また、特定情報が特定関連情報よりも大きく表示されることとなることで、現時点で特定情報として選択されている情報が、他の情報よりもユーザにとって視覚的に分かりやすくなる。
【００３０】
上記情報散策装置において、前記関連情報表示手段は、前記特定関連情報のうちで予め定められた所定数の情報を前記表示装置に表示させることができる。
【００３１】
このように表示装置上に表示される特定関連情報の数を制限することにより、特定情報と選択関連基準により関連付けられた特定関連情報の数が多くても、表示装置上において特定関連情報が表示される大きさが小さくなり過ぎないで済む。また、表示される特定関連情報の数を制限したとしても、一定数の情報が表示されているのであれば、特定関連情報と特定情報との関連性を視覚的に捉えるのに大きな妨げとなることもない。
【００３４】
上記目的を達成するため、本発明の第２の観点にかかる情報散策方法は、第１の方向をユーザの指示として入力する第１方向入力部と該第１の方向とは異なる第２の方向をユーザの指示として入力する第２方向入力部とを含む複数の入力部を有する入力装置、情報を表示する表示装置と、データを記憶する記憶装置とを備えるコンピュータ装置において実行され、前記入力装置の操作に応じて各々の情報が３以上の任意の数の関連基準で該関連基準毎に他の情報と関連付けられた複数の情報から選択された情報を順次表示装置に表示させることで、ユーザに情報を散策させる方法であって、前記複数の情報のうちから任意の情報を情報の散策を開始するための特定情報として設定し、該設定した特定情報を示すデータを前記記憶装置に記憶させるステップと、前記記憶装置に記憶されている特定情報を示すデータに基づいて、前記複数の情報のうちで現時点で特定情報として設定されている情報を前記表示装置上の所定の位置に表示させるステップと、前記表示装置に表示されている特定情報を他の情報と関連付ける関連基準のうちから選択された選択関連基準により前記特定情報と関連付けられた特定関連情報を、前記表示装置において該特定位置を通る所定の位置でユーザに認識される選択軸上に、所定の順序で並べて表示させるステップと、前記複数の情報のうちで前記選択関連基準以外の非選択関連基準の各々により前記特定情報と関連付けられた非特定関連情報を、前記特定関連情報が表示されている表示装置において前記選択軸とは異なる前記特定情報を通る位置で該非選択関連基準毎にユーザに認識される非選択軸上に、所定の順序で並べて表示させるステップと、前記特定位置に表示されている特定情報を以て情報の選択を確定させるかどうかを選択するための指示を、前記入力装置が備える入力部のうちの前記第１方向入力部及び前記第２方向入力部とは異なる確定入力部に対するユーザの操作により入力させるステップと、前記選択軸上に表示された特定関連情報のうちで前記特定情報に隣接して表示されている特定関連情報を選択するための指示を、前記第１方向入力部に対するユーザの操作により入力させるステップと、前記第１方向入力部に対するユーザの操作に応じて前記特定関連情報のうちから選択された情報を、さらに情報の散策を継続するための特定情報として新たに設定し、該新たに設定した特定情報を示すデータをこれまで記憶されていた特定情報を示すデータから更新して前記記憶装置に記憶させ、前記選択関連基準により該新たな特定情報と関連付けられた特定関連情報を前記選択軸上に表示させるとともに、前記非選択関連基準により該新たな特定情報と関連付けられた非特定関連情報を前記非選択軸上に表示させるステップと、前記非選択軸上に非特定関連情報を表示させている非選択関連基準の何れかを選択するための指示を、前記第２方向入力部に対するユーザの操作により入力させるステップと、前記第２方向入力部に対するユーザの操作に応じて選択された非選択関連基準を、さらに情報の散策を継続するための選択関連基準として、これまでに設定されていた選択関連基準に代えて新たに設定するとともにこれまでに設定されていた選択関連基準を新たに非選択関連基準に設定して、該新たな選択関連基準により前記特定情報と関連付けられた特定関連情報を前記選択軸上に表示させるとともに該新たな非選択関連基準により前記特定情報と関連付けられた非特定関連情報を前記非選択軸上に表示させるステップとを含むことを特徴とする。
【００３５】
上記目的を達成するため、本発明の第３の観点にかかるプログラムは、第１の方向をユーザの指示として入力する第１方向入力部と該第１の方向とは異なる第２の方向をユーザの指示として入力する第２方向入力部とを含む複数の入力部を有する入力装置、情報を表示する表示装置と、データを記憶する記憶装置とを備えるコンピュータ装置において実行され、前記入力装置の操作に応じて各々の情報が３以上の任意の数の関連基準で該関連基準毎に他の情報と関連付けられた複数の情報から選択された情報を順次表示装置に表示させることで、ユーザに情報を散策させるためのプログラムであって、前記複数の情報のうちから任意の情報を情報の散策を開始するための特定情報として設定し、該設定した特定情報を示すデータを前記記憶装置に記憶させるステップと、前記記憶装置に記憶されている特定情報を示すデータに基づいて、前記複数の情報のうちで現時点で特定情報として設定されている情報を前記表示装置上の所定の位置に表示させるステップと、前記表示装置に表示されている特定情報を他の情報と関連付ける関連基準のうちから選択された選択関連基準により前記特定情報と関連付けられた特定関連情報を、前記表示装置において該特定位置を通る所定の位置でユーザに認識される選択軸上に、所定の順序で並べて表示させるステップと、前記複数の情報のうちで前記選択関連基準以外の非選択関連基準の各々により前記特定情報と関連付けられた非特定関連情報を、前記特定関連情報が表示されている表示装置において前記選択軸とは異なる前記特定情報を通る位置で該非選択関連基準毎にユーザに認識される非選択軸上に、所定の順序で並べて表示させるステップと、前記特定位置に表示されている特定情報を以て情報の選択を確定させるかどうかを選択するための指示を、前記入力装置が備える入力部のうちの前記第１方向入力部及び前記第２方向入力部とは異なる確定入力部に対するユーザの操作により入力させるステップと、前記選択軸上に表示された特定関連情報のうちで前記特定情報に隣接して表示されている特定関連情報を選択するための指示を、前記第１方向入力部に対するユーザの操作により入力させるステップと、前記第１方向入力部に対するユーザの操作に応じて前記特定関連情報のうちから選択された情報を、さらに情報の散策を継続するための特定情報として新たに設定し、該新たに設定した特定情報を示すデータをこれまで記憶されていた特定情報を示すデータから更新して前記記憶装置に記憶させ、前記選択関連基準により該新たな特定情報と関連付けられた特定関連情報を前記選択軸上に表示させるとともに、前記非選択関連基準により該新たな特定情報と関連付けられた非特定関連情報を前記非選択軸上に表示させるステップと、前記非選択軸上に非特定関連情報を表示させている非選択関連基準の何れかを選択するための指示を、前記第２方向入力部に対するユーザの操作により入力させるステップと、前記第２方向入力部に対するユーザの操作に応じて選択された非選択関連基準を、さらに情報の散策を継続するための選択関連基準として、これまでに設定されていた選択関連基準に代えて新たに設定するとともにこれまでに設定されていた選択関連基準を新たに非選択関連基準に設定して、該新たな選択関連基準により前記特定情報と関連付けられた特定関連情報を前記選択軸上に表示させるとともに該新たな非選択関連基準により前記特定情報と関連付けられた非特定関連情報を前記非選択軸上に表示させるステップとを前記コンピュータ装置に実行させることを特徴とする。
【００３６】
上記目的を達成するため、本発明の第４の観点にかかる記録媒体は、第１の方向をユーザの指示として入力する第１方向入力部と該第１の方向とは異なる第２の方向をユーザの指示として入力する第２方向入力部とを含む複数の入力部を有する入力装置、情報を表示する表示装置と、データを記憶する記憶装置とを備えるコンピュータ装置において実行され、前記入力装置の操作に応じて各々の情報が３以上の任意の数の関連基準で該関連基準毎に他の情報と関連付けられた複数の情報から選択された情報を順次表示装置に表示させることで、ユーザに情報を散策させるためのプログラムを記録した記録媒体であって、前記プログラムは、前記複数の情報のうちから任意の情報を情報の散策を開始するための特定情報として設定し、該設定した特定情報を示すデータを前記記憶装置に記憶させるステップと、前記記憶装置に記憶されている特定情報を示すデータに基づいて、前記複数の情報のうちで現時点で特定情報として設定されている情報を前記表示装置上の所定の位置に表示させるステップと、前記表示装置に表示されている特定情報を他の情報と関連付ける関連基準のうちから選択された選択関連基準により前記特定情報と関連付けられた特定関連情報を、前記表示装置において該特定位置を通る所定の位置でユーザに認識される選択軸上に、所定の順序で並べて表示させるステップと、前記複数の情報のうちで前記選択関連基準以外の非選択関連基準の各々により前記特定情報と関連付けられた非特定関連情報を、前記特定関連情報が表示されている表示装置において前記選択軸とは異なる前記特定情報を通る位置で該非選択関連基準毎にユーザに認識される非選択軸上に、所定の順序で並べて表示させるステップと、前記特定位置に表示されている特定情報を以て情報の選択を確定させるかどうかを選択するための指示を、前記入力装置が備える入力部のうちの前記第１方向入力部及び前記第２方向入力部とは異なる確定入力部に対するユーザの操作により入力させるステップと、前記選択軸上に表示された特定関連情報のうちで前記特定情報に隣接して表示されている特定関連情報を選択するための指示を、前記第１方向入力部に対するユーザの操作により入力させるステップと、前記第１方向入力部に対するユーザの操作に応じて前記特定関連情報のうちから選択された情報を、さらに情報の散策を継続するための特定情報として新たに設定し、該新たに設定した特定情報を示すデータをこれまで記憶されていた特定情報を示すデータから更新して前記記憶装置に記憶させ、前記選択関連基準により該新たな特定情報と関連付けられた特定関連情報を前記選択軸上に表示させるとともに、前記非選択関連基準により該新たな特定情報と関連付けられた非特定関連情報を前記非選択軸上に表示させるステップと、前記非選択軸上に非特定関連情報を表示させている非選択関連基準の何れかを選択するための指示を、前記第２方向入力部に対するユーザの操作により入力させるステップと、前記第２方向入力部に対するユーザの操作に応じて選択された非選択関連基準を、さらに情報の散策を継続するための選択関連基準として、これまでに設定されていた選択関連基準に代えて新たに設定するとともにこれまでに設定されていた選択関連基準を新たに非選択関連基準に設定して、該新たな選択関連基準により前記特定情報と関連付けられた特定関連情報を前記選択軸上に表示させるとともに該新たな非選択関連基準により前記特定情報と関連付けられた非特定関連情報を前記非選択軸上に表示させるステップとを前記コンピュータ装置に実行させることを特徴とする。
【発明を実施するための最良の形態】
【００３７】
以下、添付図面を参照して、本発明の実施の形態について説明する。
【００３８】
［第１の実施の形態］
図１は、この実施の形態に適用される情報処理装置の構成を示すブロック図である。図示するように、情報処理装置は、ＣＰＵ（Central Processing Unit）１０１と、メインメモリ１０２と、ＨＤＤ（Hard Disk Drive）１０３と、入力装置１０４と、表示装置１０５と、通信装置１０６とを備えている。これらは、バス１００を介して互いに接続されている。
【００３９】
ＣＰＵ１０１は、メインメモリ１０２に転送されたプログラムを実行し、後述する関連付けられた複数の情報の表示等の処理を行う。メインメモリ１０２は、半導体メモリにより構成され、ＣＰＵ１０１の主記憶空間を提供する記憶装置である。ＨＤＤ１０３は、ＣＰＵ１０１の補助記憶空間を提供する記憶装置であり、後述する表示装置１０５に選択的に表示される情報は、このＨＤＤ１０３に記憶されている。ＣＰＵ１０１が実行するプログラムは、ＨＤＤ１０３に格納されているが、実行時において必要に応じてメインメモリ１０２に転送される。
【００４０】
入力装置１０４は、ユーザからの指示をＣＰＵ１０１に入力する。入力装置１０４は、コンピュータゲームの実行に用いるゲームパッドを適用することができ、このゲームパッドは、上下左右の方向キーと、○、×、□、△の４つの選択ボタンを有するものとすることができる。○ボタンは、表示装置１０５の中央に表示されている特定情報の確定を指示するための入力を行うものである。×ボタンは、１つ前の方向キーの入力のキャンセルを指示するための入力を行うものである。□ボタンは、表示装置１０５における現在の情報の表示状態のブックマークを指示するための入力を行うものである。△ボタンは、ブックマークの呼び出しを指示するための入力を行うものである。
【００４１】
表示装置１０５は、ＣＰＵ１０１の制御に応じて様々な情報を表示する。通信装置１０６は、インターネットなどの通信網を介して外部装置と情報を送受信する。なお、この実施の形態にかかる情報処理装置は、必ずしも通信装置１０６を備えている必要はない。
【００４２】
次に、この実施の形態において表示装置１０５に選択的に表示される情報について説明する。この実施の形態で表示装置１０５に選択的に表示される情報は、図１の情報処理装置のＨＤＤ１０３に予め記憶されている。個々の情報は、３つのパラメータを有しており、いずれか１以上のパラメータの値が異なれば、異なる情報であるということになる。このような構成を有する情報としては、例えば、ＲＧＢデータを適用することができる。
【００４３】
図２は、この実施の形態において表示装置１０５に選択的に表示される情報の構成を模式的に示す図である。図２において、小さな黒丸で示すのが、個別の情報である。個々の情報を構成する各パラメータに（Ｘ，Ｙ，Ｚ）を割り当てると、各情報は、３次元空間内の点として捉えることができるものとなり、互いに３次元的な関連性を有するものとなっている。
【００４４】
各次元を個々の情報と情報とを関連付ける関連基準とすると、ｘ次元の関連基準は、Ｘに対応するパラメータの値が異なるとともにＹ、Ｚに対応するパラメータの値が同じであるということであり、ｙ次元の関連基準は、Ｙに対応するパラメータの値が異なるとともにＺ、Ｘに対応するパラメータの値が同じであるということであり、ｚ次元の関連基準は、Ｚに対応するパラメータの値が異なるとともにＸ、Ｙに対応するパラメータの値が同じであるということである。
【００４５】
また、Ｘ、Ｙ、Ｚに対応するパラメータの値が近いほど、個々の情報の内容が類似しているということになる。つまり、ｘ次元の関連基準が同じ情報同士を比較すると、Ｘに対応するパラメータの値の差が小さければ小さいほど、情報の内容が近い。図２において互いに隣接する情報同士では、その内容の差は僅かなものとなっているが、図２において離れた位置にある情報同士では、その内容の差が大きなものとなる。
【００４６】
次に、この実施の形態における表示装置１０５上の情報の表示態様について説明する。図３は、この実施の形態において表示装置１０５に選択的に表示される情報の表示態様の例を示す図である。図３において、中央に大きく表示されている情報が、特定情報３００である。前述したように、特定情報３００として選択された情報に含まれるパラメータのうち、Ｘ、Ｙ、Ｚのいずれに対応するパラメータの値が異なるかで、ｘ、ｙ、ｚ次元の関連基準が定められているが、そのうちのいずれか１つの次元の関連基準が選択関連基準として選択される。
【００４７】
特定情報３００に対して選択関連基準により関連する他の情報は、選択軸３１０上に並べて表示される。選択軸３１０上に並べられた情報３１１＋、３１１−は、それぞれ特定情報３００に対して選択関連基準に対応したパラメータの値が１だけ大きい、または小さい情報であり、情報３１２＋、３１２−は、それぞれ特定情報３００に対して選択関連基準に対応したパラメータの値が２だけ大きい、または小さい情報である。パラメータの値が特定情報３００に近い情報３１１＋、３１１−の方が、情報３１２＋、３１２−よりも大きく表示される。また、選択軸３１０上に並べられる情報において、特定情報３００に対して選択関連基準に対応したパラメータの値が３以上異なる情報は、表示装置１０５に表示されない。
【００４８】
特定情報３００に対して選択関連基準以外の関連基準により関連する他の情報は、関連基準毎に非選択軸に並べて表示される。非選択軸３２０上に並べられた情報３２１＋、３２１−は、それぞれ特定情報３００に対して選択関連基準以外の関連基準に対応したパラメータの値が１だけ大きい、または小さい情報であり、情報３２２＋、３２２−は、それぞれ特定情報３００に対して選択関連基準以外の関連基準に対応したパラメータの値が２だけ大きい、または小さい情報である。パラメータの値が特定情報３００に近い情報３２１＋、３２１−の方が、情報３２２＋、３２２−よりも大きく表示される。また、非選択軸３２０上に並べられる情報においても、特定情報３００に対して選択関連基準以外の関連基準に対応したパラメータの値が３以上異なる情報は、表示装置１０５に表示されない。非選択軸３３０上に並べられた情報３３１＋、３３１−、３３２＋、３３２−についても、非選択軸３２０上に並べられた情報と同様である。
【００４９】
なお、選択軸３１０及び非選択軸３２０、３３０は、ユーザにより認識されるものであればよく、表示装置１０５において表示されている訳ではない。また、処理上も、選択軸３１０及び非選択軸３２０、３３０は、ＣＰＵ１０１により認識されるものでなくてもよい。すなわち、選択関連基準により特定情報３００と関連付けられる情報が並べられているものと見かけ上認識される軸が選択軸３１０であり、選択関連基準以外の各関連基準により特定情報３００と関連付けられる情報が並べられるものと見かけ上認識される軸が非選択軸３２０、３３０である。
【００５０】
ｙ次元の関連基準が選択関連基準となる場合（図３の場合）は、ｘ次元の関連基準により特定情報３００と関連する他の情報が非選択軸３２０上に並べて表示され、ｚ次元の関連基準により特定情報３００と関連する他の情報が非選択軸３３０上に並べて表示される。ｚ次元の関連基準が選択関連基準となる場合は、ｙ次元の関連基準により特定情報３００と関連する他の情報が非選択軸３２０上に並べて表示され、ｘ次元の関連基準により特定情報３００と関連する他の情報が非選択軸３３０上に並べて表示される。ｘ次元の関連基準が選択関連基準となる場合は、ｚ次元の関連基準により特定情報３００と関連する他の情報が非選択軸３２０上に並べて表示され、ｙ次元の関連基準により特定情報３００と関連する他の情報が非選択軸３３０上に並べて表示される。
【００５１】
ユーザは、入力装置１０４の左右方向キーの操作に応じて、選択関連基準の選択を、特定情報３００に対して関連する選択関連基準以外の関連基準に変更することができる。例えば、図３のように特定情報３００のパラメータの値が（Ｘｎ，Ｙｎ，Ｚｎ）であり、ｙ次元の関連基準を選択関連基準である場合、選択軸３１０上には、特定情報３００以外にｙ次元におけるパラメータの値が異なる情報（Ｘｎ，Ｙｎ＋２，Ｚｎ）、（Ｘｎ，Ｙｎ＋１，Ｚｎ）、（Ｘｎ，Ｙｎ−１，Ｚｎ）、（Ｘｎ，Ｙｎ−２，Ｚｎ）が情報３１２＋、３１１＋、３１１−、３１２−として並べて表示される。非選択軸３２０、３３０上には、図３に示すように、それぞれ他の関連基準であるｘ次元、ｚ次元におけるパラメータの値が異なる情報が並べて表示される。
【００５２】
ここで、左方向キーの操作を行うと、該方向に従って、選択関連基準はｙ次元の関連基準から非選択軸３３０の関連基準であるｚ次元の関連基準に変更される。非選択軸３２０、３３０の関連基準もそれぞれｘ次元、ｙ次元に変更される。
【００５３】
さらに、左方向キーの操作を行うと、選択関連基準は、ｚ次元の関連基準からｘ次元の関連基準に変更される。非選択軸３２０、３３０の関連基準もそれぞれｚ次元、ｙ次元に変更される。入力装置１０４の右方向キーを操作した場合も、左方向キーとは反対の順序で選択軸３１０、非選択軸３２０、３３０の関連基準が変更されることとなる。左右方向キーの入力では、選択軸３１０の選択関連基準及び非選択軸３２０、３３０の関連基準が変更されるが、特定情報３００が変更されることはない。
【００５４】
また、ユーザは、入力装置１０４の上下方向キーの操作に応じて、特定情報３００を、選択軸３１０上において特定情報３００と隣接した位置に表示されている他の情報に変更することができる。例えば、図３において下方向キーの操作を行うと、該方向に従って、特定情報３００は、パラメータの値を（Ｘｎ，Ｙｎ，Ｚｎ）とする情報から選択軸３１０上の上位置にあるパラメータの値を（Ｘｎ，Ｙｎ＋１，Ｚｎ）とする情報に変更される。特定情報３００の変更に応じて、選択軸３１０上に表示されている他の情報は、該入力方向に応じて上方向または下方向に１ずつずれて表示される。
【００５５】
また、特定情報３００の変更に応じて、非選択軸３２０、３３０上に並べて表示される情報は、新たな特定情報３００のパラメータの値に応じた情報に変更される。例えば、図３の状態から特定情報３００が（Ｘｎ，Ｙｎ＋１，Ｚｎ）と変化した場合には、非選択軸３２０上には、特定情報３００以外にｘ次元のパラメータの値が異なる情報（Ｘｎ＋２，Ｙｎ＋１，Ｚｎ）、（Ｘｎ＋１，Ｙｎ＋１，Ｚｎ）、（Ｘｎ−１，Ｙｎ＋１，Ｚｎ）、（Ｘｎ−２，Ｙｎ＋１，Ｚ）が情報３２２＋、３２１＋、３２１−、３２２−として並べて表示される。非選択軸３３０上の情報３３２＋、３３１＋、３３１−、３３２−についても同様である。
【００５６】
このように特定情報３００として選択される情報は、入力装置１０４の上下方向キーの操作によって、選択軸３１０及び非選択軸３２０、３３０上に表示される情報の関連基準は、入力装置１０４の左右方向キーの操作によって順次変えられるが、特定情報３００または選択関連基準の選択が変更される度に、その履歴がメインメモリ１０２に記録されるものとなる。また、任意のタイミングにおける特定情報３００及び選択関連基準の選択状態をブックマークして、任意の時点で復元することができる。
【００５７】
図４（ａ）は、メインメモリ１０２に設けられる履歴バッファの構成を示す図である。この履歴バッファ４００は、複数の履歴格納領域４０１〜４０ｎからなるリングバッファによって構成されている。履歴格納領域４０１は、特定情報領域４０１ａと選択基準領域４０１ｂとを含んでいる。履歴格納領域４０２〜４０ｎについても、履歴格納領域４０１と同様の構成を有している。また、ポインタ４１０は、現時点における特定情報３００及び選択関連基準の選択状態を記録している履歴格納領域（図４（ａ）では、履歴格納領域４０１）を示す。
【００５８】
ユーザが入力装置１０４の上下左右の方向キーから入力を行うと、該入力に応じて表示装置１０５の表示態様は変更（上下方向キーならば特定情報３００の変更、左右方向キーならば選択関連基準の変更）される。新たに表示態様が変更される毎に、現時点でポインタの付されている履歴格納領域の次の履歴格納領域において、新たな表示態様における特定情報３００及び選択関連基準を示す情報が記憶されるとともに、ポインタ４１０が当該次の格納領域に移動させられる。
【００５９】
ユーザが入力装置１０４の×ボタンから入力を行うと、該入力に応じて、履歴バッファ４００においてポインタ４１０の付される履歴格納領域１つ前に戻り、１つ前の方向キーの入力がキャンセルされる。こうしてポインタ４１０の戻った位置の履歴格納領域に記憶された特定情報及び選択関連基準が読み出されることとなるので、履歴が復元された表示状態が表示装置１０５に表示される。ユーザは、×ボタンの入力を繰り返すことによって、入力装置１０４の上下左右の方向キーの入力履歴を１ずつ戻ることができる。
【００６０】
図４（ｂ）は、メインメモリ１０２に設けられるブックマークバッファの構成を示す図である。ブックマークバッファ４２０は、特定情報領域４２０ａと選択基準領域４２０ｂとを含んでいる。ユーザが入力装置１０４の□ボタンから入力を行うと、そのときに特定情報３００として選択されている情報が特定情報領域４２０ａに、そのときに選択関連基準として選択されている関連基準が選択基準領域４２０ｂに記録される。なお、今回のタイミングにおける□ボタンの操作以前に、□ボタンの操作によってブックマークバッファ４２０に登録されているデータがある場合には、今回のタイミングにおける□ボタンの入力によって該登録されているデータは上書きされる。
【００６１】
ユーザが入力装置１０４の△ボタンから入力を行うと、特定情報領域４２０ａに記憶された特定情報と選択基準領域４２０ｂに記憶された選択関連基準の選択状態とに従って、ユーザが入力装置１０４の□ボタンから入力を行ったときの表示態様が復元されて表示装置１０５に表示される。ここで復元された特定情報３００及び選択関連基準も、新たな履歴として履歴バッファ４００の次の履歴格納領域に記録される。
【００６２】
なお、△ボタンの入力以前にブックマークバッファ４２０の特定情報領域４２０ａ及び選択基準領域４２０ｂにデータが登録されてない（□ボタンの指示によるブックマークを行っていない）場合には、△ボタンの入力によって表示装置１０５の表示態様が変化することはない。
【００６３】
以下、この実施の形態にかかる情報処理装置において実行される処理について説明する。図５は、この実施の形態における処理を示すフローチャートである。情報処理装置では、ここに示す処理以外の処理も行われるが、ここでは、本発明を説明するのに最低限必要な処理を示すものとしている。
【００６４】
まず、情報処理装置において、ＣＰＵ１０１は、メインメモリ１０２に設けられている履歴バッファ４００の複数の履歴格納領域４０１〜４０ｎからポインタ４１０の付されている履歴格納領域において特定情報領域４０１ａに記憶されている特定情報と、選択基準領域４０１ｂに記憶されている選択関連基準とを読み出し、読み出した特定情報及び選択関連基準に従って表示装置１０５に情報を表示する（ステップＳ１０１）。
【００６５】
次に、ＣＰＵ１０１は、入力装置１０４の上下方向キーの入力があったかどうかを判定する（ステップＳ１０２）。上下方向キーの入力があれば、ＣＰＵ１０１は、該入力方向キーの方向に従って、現時点における特定情報３００に対して選択関連基準により関連する他の情報を、新たな特定情報３００に変更する（ステップＳ１０３）。次に、ＣＰＵ１０１は、変更後の特定情報３００及び選択関連基準の選択状態を、履歴バッファ４００においてポインタ４１０の付されている履歴格納領域の次の履歴格納領域に記憶させ、該履歴格納領域にポインタ４１０を移動させる（ステップＳ１０４）。そして、ステップＳ１０１の処理に戻る。
【００６６】
上下方向キーの入力がなかった場合には、ＣＰＵ１０１は、入力装置１０４の左右方向キーの入力があったかどうかを判定する（ステップＳ１０５）。左右方向キーの入力があれば、ＣＰＵ１０１は、該入力方向キーの方向に従って、選択関連基準を、現時点における特定情報３００に対する他の関連基準に変更する（ステップＳ１０６）。次に、ＣＰＵ１０１は、変更後の特定情報３００及び選択関連基準の選択状態を、履歴バッファ４００においてポインタ４１０の付されている履歴格納領域の次の履歴格納領域に記憶させ、該履歴格納領域にポインタ４１０を移動させる（ステップＳ１０７）。そして、ステップＳ１０１の処理に戻る。
【００６７】
左右方向キーの入力もなかった場合には、ＣＰＵ１０１は、入力装置１０４の×ボタンの入力があったかどうかを判定する（ステップＳ１０８）。×ボタンの入力があれば、ＣＰＵ１０１は、メインメモリ１０２に設けられている履歴バッファ４００においてポインタ４１０の付されている履歴格納領域より１つ前の履歴格納領域に戻す。ポインタ４１０を１つ前に戻すことで、表示装置１０５の表示態様が履歴の１つ前の状態に戻されることとなる（ステップＳ１０９）。そして、ステップＳ１０１の処理に戻る。
【００６８】
×ボタンの入力もなかった場合には、ＣＰＵ１０１は、入力装置１０４の□ボタンの入力があったかどうかを判定する（ステップＳ１１０）。□ボタンの入力があれば、ＣＰＵ１０１は、メインメモリ１０２に設けられているブックマークバッファ４２０の特定情報領域４２０ａに現時点において特定情報３００として選択されている情報を、選択基準領域４２０ｂに現時点において選択関連基準として選択されている関連基準を記憶する（ステップＳ１１１）。そして、ステップＳ１０１の処理に戻る。
【００６９】
□ボタンの入力もなかった場合には、ＣＰＵ１０１は、入力装置１０４の△ボタンの入力があったかどうかを判定する（ステップＳ１１２）。△ボタンの入力があれば、ＣＰＵ１０１は、ブックマークバッファ４２０の特定情報領域４２０ａに記憶されている特定情報と、選択基準領域４２０ｂに記憶されている選択関連基準とを読み出し、読み出した特定情報及び選択関連基準に変更する（ステップＳ１１３）。次に、ＣＰＵ１０１は、変更後の特定情報３００及び選択関連基準の選択状態を、履歴バッファ４００においてポインタ４１０の付されている履歴格納領域の次の履歴格納領域に記憶させ、該履歴格納領域にポインタ４１０を移動させる（ステップＳ１１４）。そして、ステップＳ１０１の処理に戻る。
【００７０】
△ボタンの入力もなかった場合には、ＣＰＵ１０１は、入力装置１０４の○ボタンの入力があったかどうかを判定する（ステップＳ１１５）。○ボタンの入力があれば、ＣＰＵ１０１は、現時点における特定情報３００に応じた処理を行う。この処理は、本発明と直接関係がないため、詳細な説明を省略する。○ボタンの入力でもなければ、ステップＳ１０１の処理に戻る。
【００７１】
以下、この実施の形態における表示装置１０５上の情報の表示態様の変化を具体例に基づいて説明する。図６は、この実施の形態における表示装置１０５上の情報の表示態様の変化を具体的に示す図である。
【００７２】
図６（ａ）に示すように、表示装置１０５において、（Ｘ，Ｙ，Ｚ）の３つのパラメータの値を有する１３個の情報が表示されている。図６（ａ）において、表示装置１０５の中央に大きく表示されている特定情報３００のパラメータの値は（１０，１０，１０）であり、選択関連基準はｙ次元の関連基準とする。
【００７３】
ここでは、特定情報３００を含む選択軸３１０上に並べられた情報は、上から順に（１０，１２，１０）、（１０，１１，１０）、（１０，１０，１０）、（１０，９，１０）、（１０，８，１０）となり、非選択軸３２０上に並べられた情報は、上から順に（１２，１０，１０）、（１１，１０，１０）、（１０，１０，１０）、（９，１０，１０）、（８，１０，１０）となり、非選択軸３３０上に並べられた情報は、上から順に（１０，１０，１２）、（１０，１０，１１）、（１０，１０，１０）、（１０，１０，９）、（１０，１０，８）となっている。
【００７４】
図６（ａ）が表示装置１０５に表示された状態で、入力装置１０４から下方向キーの入力を行うと、表示様態が図６（ｂ）のように変化する。図６（ｂ）では、選択軸３１０上に並べられた情報が１ずつ下へと移動されて特定情報３００が（１０，１１，１０）となり、これに伴って非選択軸３２０、３３０上の情報も変化する。
【００７５】
ここでは、特定情報３００を含む選択軸３１０上に並べられた情報は、上から順に（１０，１３，１０）、（１０，１２，１０）、（１０，１１，１０）、（１０，１０，１０）、（１０，９，１０）となり、非選択軸３２０上に並べられた情報は、上から順に（１２，１１，１０）、（１１，１１，１０）、（１０，１１，１０）、（９，１１，１０）、（８，１１，１０）となり、非選択軸３３０上に並べられた情報は、上から順に（１０，１１，１２）、（１０，１１，１１）、（１０，１１，１０）、（１０，１１，９）、（１０，１１，８）となる。
【００７６】
次に、図６（ｂ）が表示装置１０５に表示された状態で、入力装置１０４から右方向キーの入力を行うと、表示様態が図６（ｃ）のように変化する。図６（ｃ）では、特定情報３００は（１０，１１，１０）のままであるが、選択軸３１０の選択関連基準はｘ次元の関連基準となり、非選択軸３２０、３３０の関連基準がそれぞれｚ次元、ｙ次元の関連基準となる。
【００７７】
ここでは、特定情報３００を含む選択軸３１０上に並べられた情報は、上から順に（１２，１１，１０）、（１１，１１，１０）、（１０，１１，１０）、（９，１１，１０）、（８，１１，１０）となり、非選択軸３２０上に並べられた情報は、上から順に（１０，１１，１２）、（１０，１１，１１）、（１０，１１，１０）、（１０，１１，９）、（１０，１１，８）となり、非選択軸３３０上に並べられた情報は、上から順に（１０，１３，１０）、（１０，１２，１０）、（１０，１１，１０）、（１０，１０，１０）、（１０，９，１０）となる。
【００７８】
次に、図６（ｃ）が表示装置１０５に表示された状態で、入力装置１０４から上方向キーの入力を行うと、表示様態が図６（ｄ）のように変化する。図６（ｄ）では、選択軸３１０上に並べられた情報が１ずつ上へと移動されて特定情報３００が（９，１１，１０）となり、これに伴って非選択軸３２０、３３０上の情報も変化する。
【００７９】
ここでは、特定情報３００を含む選択軸３１０上に並べられた情報は、上から順に（１１，１１，１０）、（１０，１１，１０）、（９，１１，１０）、（８，１１，１０）、（７，１１，１０）となり、非選択軸３２０上に並べられた情報は、上から順に（９，１１，１２）、（９，１１，１１）、（９，１１，１０）、（９，１１，９）、（９，１１，８）となり、非選択軸３３０上に並べられた情報は、上から順に（９，１３，１０）、（９，１２，１０）、（９，１１，１０）、（９，１０，１０）、（９，９，１０）となる。
【００８０】
次に、図６（ｄ）が表示装置１０５に表示された状態で、入力装置１０４から×ボタンの入力を行うと、１つ前の履歴に戻るので、図６（ｅ）に示すように、図６（ｃ）と同じ表示態様が表示装置１０５に表示される。
【００８１】
次に、図６（ｅ）が表示装置１０５に表示された状態で、入力装置１０４から□ボタンの入力を行うと、図６（ｆ）に示すように、図６（ｅ）の状態から表示態様は変化しないが、現時点において特定情報３００として選択されている情報（１０，１１，１０）及び選択関連基準として選択されているｘ次元の関連基準がブックマークバッファ４２０に記録される。
【００８２】
その後、入力装置１０４の□ボタン以外の入力を繰り返すことによって、図６（ｇ）に示すような表示態様が表示されたとする。図６（ｇ）が表示装置１０５に表示された状態で、入力装置１０４から△ボタンの入力を行うと、ブックマークバッファ４２０に記憶されている情報（１０，１１，１０）とｘ次元の関連基準が新たな特定情報３００及び選択関連基準となり、表示装置１０５には、図６（ｈ）に示すように、ユーザが入力装置１０４の□ボタンから入力を行ったときの表示態様、すなわち図６（ｆ）で示した表示態様が復元される。
【００８３】
以上説明したように、第１の実施の形態では、表示装置１０５の中央に特定情報３００が表示され、この特定情報３００と、Ｘ、Ｙ、Ｚの３つのパラメータの値によって関連付けられた他の情報が表示装置１０５の中央以外の位置において表示装置１０５上に表示されることとなる。ここで、特定情報３００は、Ｘ、Ｙ、Ｚの３つの関連基準で他の情報と関連付けられるが、いずれか１の関連基準が選択関連基準として選択され、該選択関連基準により特定情報３００と関連付けられた他の情報は、選択軸３１０上に並べて表示されるものとなる。このようにユーザは、表示装置１０５上に表示された特定情報３００を中心に考えて、選択関連基準により特定情報３００と関連付けられた他の情報を視覚的に捉えることができるようになる。
【００８４】
また、選択関連基準により特定情報３００と関連付けられた他の情報だけではなく、選択関連基準以外の関連基準により特定情報３００と関連付けられた他の情報も、関連基準毎に非選択軸３２０、３３０上に並べて表示装置１０５上に表示されるものとなる。これにより、選択関連基準以外の関連基準により特定情報３００と関連付けられた他の情報も、選択関連基準により特定情報３００と関連付けられた情報と同時に、視覚的に捉えることができるようになる。
【００８５】
ここで、入力装置１０４の上下方向キーの入力を行えば、特定情報３００を、選択軸３１０上において特定情報３００と隣接して該入力方向に応じた位置に表示された他の情報に変更することができる。例えば、表示装置１０５に表示された選択軸３１０上において、上位置に表示されている情報３１１＋に特定情報３００を変更する場合には、入力装置１０４の下方向キーを操作すればよく、下位置に表示されている情報３１１−に特定情報３００を変更する場合には、入力装置１０４の上方向キーを操作すればよい。このような上下方向キーの入力を繰り返して行うことで、同じ関連基準で関連付けられている情報を順次特定情報３００として表示装置１０５の中央に表示させていくことができる。
【００８６】
上下方向キーの入力によって特定情報３００を変化させると、非選択軸３２０、３３０上に並べて表示されていた情報も、新たな特定情報３００に従って変化することとなる。つまり、入力装置１０４の上下方向キーの入力を行えば、特定情報３００を変更できるとともに、該特定情報３００に応じた関連基準に非選択軸３２０、３３０上に並べられた他の情報を変更することができる。このため、特定情報３００が変更されたときには、新たな特定情報３００と関連付けられている情報をユーザが視覚的に容易に捉えることができるようになる。
【００８７】
また、非選択軸３２０、３３０上に表示された他の情報が気になった場合など、入力装置１０４の左右方向キーの入力を行うことで、選択関連基準とされていなかった関連基準を選択関連基準に変更することもできるようになる。例えば、表示装置１０５上において選択軸３１０の右位置に表示されている非選択軸３３０の関連基準に選択関連基準を変更する場合には、入力装置１０４の左方向キーを操作すればよく、選択軸３１０の左位置に表示されている非選択軸３２０の関連基準に選択関連基準を変更する場合には、入力装置１０４の右方向キーを操作すればよい。このように選択関連基準を変更可能とすることで、次の特定情報３００となり得る情報が選択関連基準により特定情報３００と関連付けられた情報に限られていても、ユーザは、現時点の特定情報３００に対していずれの関連基準で関連付けられている情報であっても、次の特定情報３００として選択することができるようになる。
【００８８】
そして、入力装置１０４の上下方向キーの入力と入力装置１０４の左右方向キーの入力を組み合わせて行くことにより、ユーザは、ある時点で特定情報３００とされていた情報から視覚的な比較により所望の情報まで辿り着けるようになる。このように入力装置１０４からの入力により特定情報３００及び選択関連基準を順次変更していくことによって、互いに複雑に関連付けられた複数の情報の中からも、視覚的な捉え方によって容易に所望の情報に辿り着くことができるようになる。こうして互いに複雑に関連付けられた複数の情報であっても、一時には比較的関連性の高い情報間で特定情報３００が変更されていくことから、ユーザが予め目的とする情報を決めておかなくても、ユーザの嗜好に沿った情報を探し出すことができるようになる。
【００８９】
また、表示装置１０５では、特定情報３００が他の情報よりも大きく中央に表示されており、現時点において特定情報３００として選択されている情報が、他の情報よりもユーザにとって視覚的に分かりやすくなる。
【００９０】
ところで、選択軸３１０上に表示された特定情報３００以外の情報３１２＋、３１１＋、３１１−、３１２−は、選択関連基準に対応したパラメータの値が特定情報３００に近いほど、すなわち特定情報３００との内容的な類似性が近いほど、特定情報３００の近くに表示される。また、特定情報３００に隣接する情報３１１＋、３１１−は、特定情報３００と隣接していない情報３１２＋、３１２−よりも大きく表示される。また、非選択軸３２０、３３０上に表示される情報についても同様である。
【００９１】
このように、特定情報３００との内容的な類似性が近い情報ほど特定情報３００の近くに表示することで、どのように新たな特定情報３００を選択していけば所望の情報に辿り着けるかということがユーザにとって分かり易いものとなる。また、特定情報３００に隣接して表示される情報を隣接して表示されない情報よりも大きく表示することで、入力装置１０４の入力によって現在の特定情報３００の次に特定情報３００とできる他の情報をユーザが視覚的に捉えやすくなり、情報の選択をさらに容易に行えるようになる。
【００９２】
また、選択軸３１０及び非選択軸３２０、３３０のいずれにおいても、特定情報３００以外表示される情報の数が制限されている。このため、特定情報３００と各関連基準により関連付けられた情報の数が大きくても、表示装置１０５上において特定情報３００以外の情報が表示される大きさが小さくなり過ぎないで済む。また、選択軸３１０や非選択３２０、３３０上に並べて表示する情報の数を制限したとしても、一定数の情報が表示されているのであれば、ユーザが他の情報が特定情報３００に対して有する関連性を視覚的に捉えるのに大きな妨げとなることもない。
【００９３】
ところで、特定情報３００および／または選択関連基準が変更される度にその選択状態の履歴が履歴格納領域４０１〜４０ｎに記録されていき、ユーザが入力装置１０４の×ボタンの入力を行うと、現在の表示状態の１つ前に履歴として履歴格納領域に記憶された特定情報及び選択関連基準の選択状態が読み出され、１つ前の履歴が復元された表示状態が表示装置１０５に表示されることとなる。このため、現在の特定情報３００が却って自分の所望する情報から遠ざかっていると思われたときでも、以前の表示態様に戻ってから、特定情報３００及び選択関連基準の選択をやり直すことができ、ユーザが所望する情報の選択が容易になる。
【００９４】
また、ユーザが入力装置１０４の□ボタンの入力を行うと、現時点における特定情報３００と選択関連基準の選択状態が記録され、以降にユーザが△ボタンの入力を行うと、ブックマークバッファ４２０に記憶された特定情報及び選択関連基準の選択状態が読み出され、ユーザが□ボタンから入力を行ったときの表示態様が表示装置１０５に復元されるものとなる。ユーザがある時点での特定情報３００及び選択関連基準の選択状態が気になったときには、これをブックマークしておき、任意のタイミングでブックマークしておいた表示態様を復元することができる。このため、現在の特定情報３００が却って自分の所望する情報から遠ざかっていると思われたときでも、ブックマークしていた表示態様に戻ってから、特定情報３００を及び選択関連基準の選択をやり直すことができ、ユーザが所望する情報の選択が容易になる。
【００９５】
ところで、一般的に表示装置１０５は、平面的に画像を表示するので、表示装置１０５上に複数の情報を２次元的にしか並べることができない。３次元的な情報の並びであれば、透視変換などにより情報の関連性を２次元平面に投影することは可能であるが、３方向の入力が必要となる。これに対して、この実施の形態では、入力装置１０４は上下、左右の２次元方向の入力キーしか有していないが、左右方向キーの入力で選択関連基準を選択し、上下方向キーの入力で特定情報３００を選択していくことにより、３次元の関連基準で複数の情報の中から、ユーザが各情報の関係を視覚的に捉えて、所望の情報を容易に選択できるようになる。
【００９６】
さらに、ユーザが入力装置１０４の○ボタンの入力を行うと、現時点において特定情報３００となっている情報に応じた処理が行われることとなっている。このように、○ボタンの入力によって、特定情報３００に応じて定められた処理を行うものとすることで、ユーザは、自己が行いたいと思う処理を視覚的に捉えて選択していくことができるようになる。
【００９７】
［第２の実施の形態］
この実施の形態に適用される情報処理装置の構成も、第１の実施の形態で示した情報処理装置と同じである。この実施の形態では、入力装置からの入力により表示装置１０５に選択的に表示される情報の構成が第１の実施の形態と異なる。また、この情報の構成の違いにより、表示装置１０５の中央に表示される特定情報を基準として情報を表示する軸の数が、特定情報に応じて変化するものとなる。
【００９８】
図７は、この実施の形態において表示装置１０５に選択的に表示される情報の構成を模式的に示す図である。ここでは、互いに同一の関連基準で関連する情報同士が集まって、関連基準毎に情報集合体７０１〜７０７を形成している。情報集合体７０１〜７０７は、図１の情報処理装置のＨＤＤ１０３に予め格納されている。１つの情報集合体の内部においては、当該関連基準で考えた場合の内容的な類似性の近い情報同士が隣接して記録されるものとなる。なお、情報集合体７０１〜７０７の中にある個々の情報は、その情報内容そのものではなく、その内容を有する情報を示すポインタであってもよい。
【００９９】
次に、この実施の形態における表示装置１０５上の情報の表示態様について説明する。図８は、この実施の形態において表示装置１０５に選択的に表示される情報の表示態様の例を示す図である。図８において、中央に大きく表示されている情報が、特定情報８００である。特定情報８００として選択された情報を含む情報集合体のうちでいずれか１つの情報集合体に対応する関連基準が選択関連基準として選択される。
【０１００】
特定情報８００に対して選択関連基準により関連する他の情報は、選択軸８１０上に並べて表示される。図８（ａ）において選択軸８１０上に並べられた情報Ｙ、Ｚ、Ｂ、Ｃは、特定情報８００に対して選択関連基準に対応した情報集合体７０１に記憶されている順序（当該関連基準で考えた場合の内面的な類似度の近い情報同士が隣接した順序）で、該特定情報８００である情報Ａを中心とした前後２つの情報である。情報Ａに隣接した情報Ｚ、Ｂの方が、情報Ｙ、Ｃよりも大きく表示される。また、選択軸８１０上に並べられる情報において、特定情報８００に対して選択関連基準に対応した情報集合体での記憶位置が３以上離れた情報は、表示装置１０５に表示されない。
【０１０１】
特定情報８００に対して選択関連基準以外の関連基準により関連する他の情報は、関連基準毎、すなわち情報集合体毎に非選択軸８２０〜８５０に並べて表示される。例えば、図８（ａ）において、非選択軸８２０上に並べられた情報Ｎ、Ｋ、Ｌ、Ｍは、特定情報８００である情報Ａに対して情報集合体７０３に記憶されている順序で、情報Ａを中心とした前後２つの情報である。情報Ａに隣接した情報Ｋ、Ｌの方が、情報Ｎ、Ｍよりも大きく表示される。
【０１０２】
また、特定情報８００として選択された情報を含む情報集合体が複数存在する場合には、選択関連基準となっている情報集合体を基準とした順番の記憶位置に応じて最大４の情報集合体が選択され、該選択された情報集合体に対応する関連基準により特定情報８００に関連する他の情報が、関連基準毎に非選択軸８２０〜８５０に並べて表示される表示装置１０５に表示される。
【０１０３】
非選択軸８２０〜８５０の数は、特定情報８００として選択された情報が含まれる情報集合体の数に応じて変化する。すなわち、特定情報８００として選択された情報を含む情報集合体が検索され、検索された情報集合体の数に応じて非選択軸８２０〜８５０が設定される。例えば、情報Ａは、３つの情報集合体７０１、７０３、７０５に含まれているので、情報Ａを特定情報８００とし、情報集合体７０１に対応する関連基準を選択関連基準とする場合は、２つの非選択軸８２０、８５０のみに情報が並べて表示される。特定情報８００として選択された情報を含む情報集合体が１つだけである場合には、当該情報集合体がそのまま選択関連基準として選択軸８１０上に他の情報が並べて表示されるだけで、非選択軸８２０〜８５０上に他の情報が表示されることはない。
【０１０４】
図８（ａ）が表示装置１０５に表示された状態で、入力装置１０４から上方向キーの入力を行うと、図８（ｂ）に示すように、選択軸８１０上に並べられた情報が１ずつ上に移動し、情報Ｂが新たな特定情報８００となる。また、図８（ａ）が表示装置に表示された状態で、入力装置１０４から下方向キーの入力を行うと、選択軸８１０上に並べられた情報が１ずつ下に移動し、情報Ｚが新たな特定情報８００となる。
【０１０５】
上方向キーの入力により特定情報８００が情報Ｂとなると、情報Ｂがいずれの情報集合体に含まれる情報であるかが検索される。情報Ｂは、図７において情報集合体７０１、７０２、７０３、７０６に含まれる情報である。ここで、図８（ｂ）に示すように、非選択軸８２０上には情報集合体７０２に含まれる他の情報Ｅ、Ｆ、Ｇ、Ｈが、非選択軸８３０上には情報集合体７０３に含まれる情報Ｌ、Ｍ、Ｎ、Ｏが、非選択軸８５０上には情報集合体７０６に含まれる他の情報Ｎ、Ｚ、Ｄ、Ｓが、それぞれ情報集合体に記憶されている順序で並べて表示される。
【０１０６】
また、入力装置１０４から左右方向キーの入力を行った場合には、第１の実施の形態と同様に、該入力に応じて選択関連基準として選択される情報集合体が変化する。選択関連基準の変化に伴って、非選択軸８２０〜８５０の関連基準となる情報集合体も変化する。なお、選択軸８１０及び非選択軸８２０〜８５０がユーザにより認識されればよいものであり、ＣＰＵ１０１により認識される必要がないことは、第１の実施の形態と同じである。
【０１０７】
さらに、特定情報８００または選択関連基準が変化する度に、履歴が記憶され、入力装置１０４の×ボタンの入力により１つ前の表示態様に戻ることについては、第１の実施の形態と同じである。□ボタンの入力により特定情報８００と選択関連基準がブックマークされ、△ボタンの入力によりブックマークされた表示態様が復元されることも第１の実施の形態と同じである。○ボタンの入力により特定情報８００に応じた処理に移行することも第１の実施の形態と同じである。なお、×ボタンまたは△ボタンの入力により特定情報８００が変化する場合にも、上下方向キーの入力により特定情報８００が変化する場合と同様に、新たな特定情報８００と同じ情報を含む情報集合体が検索される。
【０１０８】
以下、この実施の形態にかかる情報処理装置において実行される処理について説明する。図９は、この実施の形態における処理を示すフローチャートである。情報処理装置では、ここに示す処理以外の処理も行われるが、ここでは、本発明を説明するのに最低限必要な処理を示すものとしている。
【０１０９】
まず、情報処理装置において、ＣＰＵ１０１は、メインメモリ１０２に設けられている履歴バッファ４００の複数の履歴格納領域４０１〜４０ｎからポインタ４１０の付されている履歴格納領域において特定情報領域４０１ａに記憶されている特定情報と、選択基準領域４０１ｂに記憶されている選択関連基準（ここでは、情報集合体の種別）とを読み出し、該読み出した特定情報と、該特定情報の含まれる情報集合体と、選択関連基準とに従って表示装置１０５に情報を表示する（ステップＳ２０１）。
【０１１０】
次に、ＣＰＵ１０１は、入力装置１０４の上下方向キーの入力があったかどうかを判定する（ステップＳ２０２）。上下方向キーの入力があれば、ＣＰＵ１０１は、該入力方向キーの方向に従って、現時点における特定情報８００に対して選択関連基準により関連する他の情報を、新たな特定情報８００に変更する（ステップＳ２０３）。次に、ＣＰＵ１０１は、変更後の特定情報８００及び選択関連基準の選択状態を、履歴バッファ４００においてポインタ４１０の付されている履歴格納領域の次の履歴格納領域に記憶させ、該履歴格納領域にポインタ４１０を移動させる（ステップＳ２０４）。ＣＰＵ１０１は、変更後の特定情報８００と同じ情報を含む情報集合体を検索する（ステップＳ２０５）。そして、ステップＳ２０１の処理に戻る。
【０１１１】
上下方向キーの入力がなかった場合には、ＣＰＵ１０１は、入力装置１０４の左右方向キーの入力があったかどうかを判定する（ステップＳ２０６）。左右方向キーの入力があれば、ＣＰＵ１０１は、該入力方向キーの方向に従って、選択関連基準を、現時点における特定情報８００に対する他の関連基準に変更する（ステップＳ２０７）。次に、ＣＰＵ１０１は、変更後の特定情報８００及び選択関連基準の選択状態を、履歴バッファ４００においてポインタ４１０の付されている履歴格納領域の次の履歴格納領域に記憶させ、該履歴格納領域にポインタ４１０を移動させる（ステップＳ２０８）。そして、ステップＳ２０１の処理に戻る。
【０１１２】
左右方向キーの入力もなかった場合には、ＣＰＵ１０１は、入力装置１０４の×ボタンの入力があったかどうかを判定する（ステップＳ２０９）。×ボタンの入力があれば、ＣＰＵ１０１は、メインメモリ１０２に設けられている履歴バッファ４００においてポインタ４１０の付されている履歴格納領域より１つ前の履歴格納領域に戻す。ポインタ４１０を１つ前に戻すことで、表示装置１０５の表示態様が履歴の１つ前の状態に戻されることとなる（ステップＳ２１０）。
【０１１３】
ＣＰＵ１０１は、変更前の特定情報と、変更後の特定情報とが同じかどうかを判定する（ステップＳ２１１）。同じであった場合には、そのままステップＳ２０１の処理に戻る。一方、特定情報が同じでない場合には、ＣＰＵ１０１は、変更後の特定情報８００と同じ情報を含む情報集合体を検索し（ステップＳ２１２）、ステップＳ２０１の処理に戻る。
【０１１４】
×ボタンの入力もなかった場合には、ＣＰＵ１０１は、入力装置１０４の□ボタンの入力があったかどうかを判定する（ステップＳ２１３）。□ボタンの入力があれば、ＣＰＵ１０１は、メインメモリ１０２に設けられているブックマークバッファ４２０の特定情報領域４２０ａに現時点において特定情報８００として選択されている情報を、選択基準領域４２０ｂに現時点において選択関連基準として選択されている関連基準を記憶する（ステップＳ２１４）。そして、ステップＳ２０１の処理に戻る。
【０１１５】
□ボタンの入力もなかった場合には、ＣＰＵ１０１は、入力装置１０４の△ボタンの入力があったかどうかを判定する（ステップＳ２１５）。△ボタンの入力があれば、ＣＰＵ１０１は、ブックマークバッファ４２０の特定情報領域４２０ａに記憶されている特定情報と選択基準領域４２０ｂに記憶されている選択関連基準を読み出し、読み出した特定情報及び選択関連基準に変更する（ステップＳ２１６）。次に、ＣＰＵ１０１は、変更後の特定情報８００及び選択関連基準の選択状態を、履歴バッファ４００においてポインタ４１０の付されている履歴格納領域の次の履歴格納領域に記憶させ、該履歴格納領域にポインタ４１０を移動させる（ステップＳ２１７）。
【０１１６】
ＣＰＵ１０１は、変更前の特定情報と、変更後の特定情報とが同じかどうかを判定する（ステップＳ２１８）。同じであった場合には、そのままステップＳ２０１の処理に戻る。一方、特定情報が同じでない場合には、ＣＰＵ１０１は、変更後の特定情報８００と同じ情報を含む情報集合体を検索し（ステップＳ２１９）、ステップＳ２０１の処理に戻る。
【０１１７】
△ボタンの入力もなかった場合には、ＣＰＵ１０１は、入力装置１０４の○ボタンの入力があったかどうかを判定する（ステップＳ２２０）。○ボタンの入力があれば、ＣＰＵ１０１は、現時点における特定情報８００に応じた処理を行う。この処理は、本発明と直接関係がないため、詳細な説明を省略する。○ボタンの入力でもなければ、ステップＳ２０１の処理に戻る。
【０１１８】
以上説明したように、この実施の形態では、特定情報８００となる個々の情報は、互いに同一の関連基準で関連する情報同士が集まって、関連基準毎に情報集合体７０１〜７０７を形成している。表示装置１０５の中央に特定情報８００を表示した場合には、この特定情報８００と同じ情報を含む情報集合体において内容的な類似性の近い情報同士が隣接した順序で、選択軸８１０及び非選択軸８２０〜８５０上に情報が表示されるものとなる。
【０１１９】
ここで、上下方向キーの入力によって特定情報８００が順次変更していくことや、左右方向キーの入力によって選択関連基準が順次変更していくことは、第１の実施の形態と同じとなっているので、この実施の形態においても第１の実施の形態と同様に、互いに複雑に関連付けられた複数の情報の中から視覚的な捉え方によってユーザが所望の情報に容易に辿り着くことができるという効果を得られる。さらに、特定情報８００及び選択関連基準の選択状態の履歴の記録やブックマークについても、第１の実施の形態と同じ効果を得ることができる。さらに、特定情報８００と内容的な類似度が高い情報を特定情報８００の近くに表示したり、特定情報８００が最も大きく、以外の情報では特定情報８００に隣接する情報を大きく表示することについても、第１の実施の形態と同じ効果を得ることができる。
【０１２０】
ところで、この実施の形態においては、情報Ａを特定情報８００とした場合には、情報Ａが含まれる情報集合体として３つの情報集合体７０１、７０３、７０５が検索されるので、非選択軸の数は２つとなる。また、情報Ｂを特定情報８００とした場合には、情報Ｂが含まれる情報集合体として４つの情報集合体７０１、７０２、７０３、７０６が検索されるので、非選択軸の数は３つとなる。このように、非選択軸は、特定情報８００が含まれる情報集合体の数に応じて設けられ、選択関連基準以外の関連基準毎に他の情報が各々の非選択軸に表示されるものとなる。これにより、選択された特定情報８００が含まれている情報集合体の数が異なっていっても、選択関連基準以外の関連基準により現時点における特定情報８００と関連付けられた他の情報を、関連基準毎に捉えることができるようになる。
【０１２１】
また、特定情報８００となる情報が含まれる情報集合体の数が１つであった場合には、非選択軸８２０〜８５０上には情報が表示されず、当該１つの情報集合体を選択関連基準として適用し、特定情報８００と関連付けられた他の情報だけが選択軸８１０上に表示されるものとなる。これにより、ユーザは、現時点において選択されている特定情報８００が、１つの関連基準だけで他の情報との関連付けられていることを視覚的に分かりやすいものとなる。
【０１２２】
［第３の実施の形態］
この実施の形態に適用される情報処理装置の構成も、第１の実施の形態で示した情報処理装置と同じである。この実施の形態では、入力装置からの入力により表示装置１０５に選択的に表示される情報の構成が第１、第２の実施の形態と異なる。情報の構成は異なるが、表示装置１０５の中央に表示される特定情報を基準として情報を表示する軸の数が、特定情報に応じて変化する点については、第２の実施の形態と同じである。
【０１２３】
図１０は、この実施の形態において表示装置１０５に選択的に表示される情報の構成を模式的に示す図である。ここでは、個々の情報１０１０、１０２０、…、１０３０が個別に、図１の情報処理装置のＨＤＤ１０３に格納されている。個々の情報１０１０、１０２０、…、１０３０は、それぞれの本体としての情報内容１０１１、１０２１、…、１０３１の他に、関連キーワード１０１２、１０２２、…、１０３２を含んでいる。
【０１２４】
関連キーワード１０１２、１０２２、…、１０３２として同じキーワードを含む情報同士が、互いに同じ関連基準で関連付けられた情報となる。例えば、情報１０１０、１０２０、１０３０は、いずれもキーワードａを含んでいるので、キーワードａで互いに関連付けられた情報となる。また、情報１０１０、１０２０は、キーワードｂを含むが、情報１０３０は、キーワードｂを含まない。従って、情報１０１０は、キーワードｂで情報１０２０と関連付けられているが、情報１０３０と関連付けられていない。
【０１２５】
次に、この実施の形態における表示装置１０５上の情報の表示態様について説明する。図１１は、この実施の形態において表示装置１０５に選択的に表示される情報の表示態様の例を示す図である。図１１において表示装置１０５の上方に大きく表示されている情報が、特定情報１１００である。特定情報１１００として選択された情報が含む関連キーワードのいずれか１つのキーワードが選択関連基準として選択される。
【０１２６】
特定情報１１００に対して選択関連基準により関連する他の情報（すなわち、選択関連基準として選択されたキーワードを含む他の情報）は、選択軸１１１０上に並べて表示される。図１１において選択軸１１１０上に並べられた情報Ａ、Ｄ、Ｘは、特定情報１１００に対する内容的な類似度によって算出されるスコア（それぞれ９４、９３、９２）の高い情報ほど特定情報１１００に近い位置に表示される。また、選択軸１１１０上には、特定情報１１００に対する内容的な類似度によって算出されるスコアが、高い順で最大３の情報までが表示装置１０５に表示される。スコアの算出には、例えば、情報に含まれる単語の同一性など従来より適用されていた各種の手法を用いることができる。
【０１２７】
特定情報１１００に対して選択関連基準以外の関連基準により関連する他の情報（すなわち、選択関連基準として選択されたキーワード以外に特定情報１１００が含むキーワードを含む他の情報）は、関連基準毎に非選択軸上に並べて表示される。非選択軸上に並べられた情報は、選択軸１１１０上に並べられた情報よりも小さく表示される。非選択軸１１１１ｂ上においては、特定情報１１００に対する内容的な類似度によって算出されるスコアの高い情報Ｈの方が、低い情報Ｉより特定情報１１００に近い位置に表示される。非選択軸１１１１ｅ〜１１１１ｐ上に並べられる情報についても同様である。
【０１２８】
もっとも、特定情報１１００が６以上のキーワードを含む場合には、選択関連基準として選択されたキーワードの前後２つ（巡回する意味での前後）のキーワードのみが表示装置１０４上の表示領域に表示される関連基準となり、非選択軸１１１１ｂ〜１１１１ｇ上に各関連基準により特定情報１１００と関連する情報が表示される。それ以外のキーワードを含む他の情報は、表示領域外に仮想的に表示されるだけである。特定情報１１００が含むキーワードが１つだけである場合には、当該キーワードがそのまま選択関連基準として選択されて選択軸１１１０上に情報が並べて表示されるだけで、非選択軸１１１１ｂ〜１１１１ｐ上に情報が表示されることはない。
【０１２９】
例えば、図１１では、選択関連基準以外の関連基準に対応したキーワードとして、キーワードｂ、ｅ、ｆ、ｇが選択され、表示装置１０５に表示されている。選択されなかった関連基準に対応したキーワードｈにより特定情報１１００に関連する他の情報Ｏ、Ｐについても、非選択軸１１１１ｂ上に並べられた情報と同様に非選択軸１１１１ｈ上に並べられるが、表示装置１０５の表示領域内には表示されない。非選択軸１１１１ｐ上に並べられたキーワードｐにより特定情報１１００に関連する他の情報Ｑ、Ｒについても同様である。
【０１３０】
入力装置１０４の上方向キーの入力があった場合には、選択軸１１１０上に並べられた情報が１つずつ上にずれて特定情報１１００が変更される。例えば、図１１の状態で上方向キーの入力があると、情報Ｂに代わって情報Ａが新たな特定情報１１００となる。この実施の形態では、選択軸１１１０上において特定情報１１００の上側には情報が表示されていないので、下方向キーの入力は、キャンセルされる。
【０１３１】
また、入力装置１０４の左右方向キーの入力があった場合には、該入力に応じて選択関連基準となるキーワードが変更される。例えば、図１１の状態で左方向キーの入力があった場合には、非選択軸１１１１ｆの関連基準であるキーワードｆが選択関連基準となり、情報Ｂ以外でキーワードｆを含む情報が選択軸１１００上に並べて表示される。これに伴って、キーワードａは選択関連基準以外の関連基準となり、図１１の非選択軸１１１１ｅの位置にキーワードａに対応する非選択軸が設定され、ここに情報Ｂ以外のキーワードａを含む情報が並べて表示される。さらに、非選択軸１１１１ｅ、１１１１ｂ、１１１１ｐ、…、１１１１ｈ、１１１１ｇの位置も移動し、例えば、非選択軸１１１１ｅ、１１１１ｂ、１１１１ｈ、１１１１ｇは、それぞれ図１１の１１１１ｂ、１１１１ｐ、１１１１ｇ、１１１１ｆの位置に移動する。右方向キーの入力があった場合も、移動方向が逆になるだけで左方向キーの入力があった場合と同様である。
【０１３２】
なお、選択軸１１１０及び非選択軸１１１１ｂ〜１１１１ｐがユーザにより認識されればよいものであり、ＣＰＵ１０１により認識される必要がないことは、第１の実施の形態と同じである。さらに、特定情報１１００または選択関連基準が変化する度に、履歴が記憶され、入力装置１０４の×ボタンの入力により１つ前の表示態様に戻ることについても、第１の実施の形態と同じである。□ボタンの入力により特定情報１１００と選択関連基準がブックマークされ、△ボタンの入力によりブックマークされた表示態様が復元されることも第１の実施の形態と同じである。○ボタンの入力により特定情報１１００に応じた処理に移行することも第１の実施の形態と同じである。
【０１３３】
また、上方向キーの入力、もしくは×ボタンまたは△ボタンの入力により特定情報１１００が変化する場合には、新たな特定情報１１００に含まれるキーワードのうちで選択関連基準として選択されたキーワード以外のキーワードを含む他の情報が、関連基準毎（すなわち、キーワード毎）に検索される。そして、索出された他の情報について新たな特定情報１１００との内容的な類似度のスコアが算出され、該算出されたスコアに応じて非選択軸１１１１ｂ〜１１１１ｐ上において情報の表示される順序が決まることとなる。
【０１３４】
以下、この実施の形態にかかる情報処理装置において実行される処理について説明する。図１２は、この実施の形態における処理を示すフローチャートである。情報処理装置では、ここに示す処理以外の処理も行われるが、ここでは、本発明を説明するのに最低限必要な処理を示すものとしている。
【０１３５】
まず、情報処理装置において、ＣＰＵ１０１は、メインメモリ１０２に設けられている履歴バッファ４００の複数の履歴格納領域４０１〜４０ｎからポインタ４１０の付されている履歴格納領域において特定情報領域４０１ａに記憶されている特定情報と、選択基準領域４０１ｂに記憶されている選択関連基準（ここでは、キーワード）とを読み出し、該読み出した特定情報と、該特定情報との内容的な類似度のスコアの大小と、選択関連基準とに従って表示装置１０５に情報を表示する（ステップＳ３０１）。
【０１３６】
次に、ＣＰＵ１０１は、入力装置１０４の上方向キーの入力があったかどうかを判定する（ステップＳ３０２）。上方向キーの入力があれば、ＣＰＵ１０１は、該入力方向キーの方向に従って、現時点における特定情報１１００に対して選択関連基準により関連する他の情報を、新たな特定情報１１００に変更する（ステップＳ３０３）。次に、ＣＰＵ１０１は、変更後の特定情報１１００及び選択関連基準の選択状態を、履歴バッファ４００においてポインタ４１０の付されている履歴格納領域の次の履歴格納領域に記憶させ、該履歴格納領域にポインタ４１０を移動させる（ステップＳ３０４）。ＣＰＵ１０１は、変更後の特定情報１１００と同じキーワードを含む情報をキーワード毎に検索する（ステップＳ３０５）。そして、ＣＰＵ１０１は、検索された情報のそれぞれについて、特定情報１１００との内容的な類似度のスコアを算出し（ステップＳ３０６）、ステップＳ３０１の処理に戻る。
【０１３７】
上方向キーの入力がなかった場合には、ＣＰＵ１０１は、入力装置１０４の左右方向キーの入力があったかどうかを判定する（ステップＳ３０７）。左右方向キーの入力があれば、ＣＰＵ１０１は、該入力方向キーの方向に従って、選択関連基準となるキーワードを、現時点における特定情報１１００が含む他のキーワードに変更する（ステップＳ３０８）。次に、ＣＰＵ１０１は、特定情報１１００及び新たな選択関連基準の選択状態を、履歴バッファ４００においてポインタ４１０の付されている履歴格納領域の次の履歴格納領域に記憶させ、該履歴格納領域にポインタ４１０を移動させる（ステップＳ３０９）。そして、ステップＳ３０１の処理に戻る。
【０１３８】
左右方向キーの入力もなかった場合には、ＣＰＵ１０１は、入力装置１０４の×ボタンの入力があったかどうかを判定する（ステップＳ３１０）。×ボタンの入力があれば、ＣＰＵ１０１は、メインメモリ１０２に設けられている履歴バッファ４００においてポインタ４１０の付されている履歴格納領域より１つ前の履歴格納領域に戻す。ポインタ４１０を１つ前に戻すことで、表示装置１０５の表示態様が履歴の１つ前の状態に戻されることとなる（ステップＳ３１１）。
【０１３９】
ＣＰＵ１０１は、変更前の特定情報と、変更後の特定情報とが同じかどうかを判定する（ステップＳ３１２）。同じであった場合には、ステップＳ３０１の処理に戻る。一方、特定情報が同じでない場合には、ＣＰＵ１０１は、変更後の特定情報１１００と同じキーワードを含む情報をキーワード毎に検索する（ステップＳ３１３）。そして、ＣＰＵ１０１は、検索された情報のそれぞれについて、特定情報１１００との内容的な類似度のスコアを算出し（ステップＳ３１４）、ステップＳ３０１の処理に戻る。
【０１４０】
×ボタンの入力もなかった場合には、ＣＰＵ１０１は、入力装置１０４の□ボタンの入力があったかどうかを判定する（ステップＳ３１５）。□ボタンの入力があれば、ＣＰＵ１０１は、メインメモリ１０２に設けられているブックマークバッファ４２０の特定情報領域４２０ａに現時点において特定情報１１００として選択されている情報を、選択基準領域４２０ｂに現時点において選択関連基準として選択されている関連基準を記憶する（ステップＳ３１６）。そして、ステップＳ３０１の処理に戻る。
【０１４１】
□ボタンの入力もなかった場合には、ＣＰＵ１０１は、入力装置１０４の△ボタンの入力があったかどうかを判定する（ステップＳ３１７）。△ボタンの入力があれば、ＣＰＵ１０１は、ブックマークバッファ４２０の特定情報領域４２０ａに記憶されている特定情報と選択基準領域４２０ｂに記憶されている選択関連基準を読み出し、読み出した特定情報及び選択関連基準に変更する（ステップＳ３１８）。次に、ＣＰＵ１０１は、変更後の特定情報１１００及び選択関連基準の選択状態を、履歴バッファ４００においてポインタ４１０の付されている履歴格納領域の次の履歴格納領域に記憶させ、該履歴格納領域にポインタ４１０を移動させる（ステップＳ３１９）。
【０１４２】
ＣＰＵ１０１は、変更前の特定情報と、変更後の特定情報とが同じかどうかを判定する（ステップＳ３２０）。同じであった場合には、ステップＳ３０１の処理に戻る。一方、特定情報が同じでない場合には、ＣＰＵ１０１は、変更後の特定情報１１００と同じキーワードを含む情報をキーワード毎に検索する（ステップＳ３２１）。そして、ＣＰＵ１０１は、検索された情報のそれぞれについて、特定情報１１００との内容的な類似度のスコアを算出し（ステップＳ３２２）、ステップＳ３０１の処理に戻る。
【０１４３】
△ボタンの入力もなかった場合には、ＣＰＵ１０１は、入力装置１０４の○ボタンの入力があったかどうかを判定する（ステップＳ３２３）。○ボタンの入力があれば、ＣＰＵ１０１は、現時点における特定情報１１００に応じた処理を行う。この処理は、本発明と直接関係がないため、詳細な説明を省略する。○ボタンの入力でもなければ、ステップＳ３０１の処理に戻る。
【０１４４】
以上説明したように、第３の実施の形態では、表示装置１０５の上方に特定情報１１００が表示され、この特定情報と同じキーワードを含む情報のうち特定情報１１００と類似度の大きい情報が特定情報１１００の近くに表示される。ここで、図１１の場合を例とすると、特定情報１１００となる情報Ｂに含まれるキーワードｂ、ｅ、ａ、ｆ、ｇ、ｈ、…、ｐ毎に、該キーワードが含まれる情報が検索されることとなる。特定情報１１００となる情報Ｂのキーワードのうちキーワードａが選択関連基準として選択され、該キーワードａを含む情報は、選択軸１１１０上に並べて表示されるものとなる。これ以外のキーワードｂ、ｅ、ｆ、ｇ、ｈ、…、ｐは、選択関連基準以外の関連基準ということであり、これらのキーワードを含む情報は、非選択軸１１１１ｂ〜１１１１ｐに並べて表示されるものとなる。
【０１４５】
ここで、選択関連基準として選択されたキーワードａを含む特定情報１１００以外の情報（図１１では、情報Ａ、Ｄ、Ｘ）は、選択関連基準以外の関連基準であるキーワードｂ、ｅ、ｆ、ｇ、ｈ、…、ｐを含む特定情報１１００以外の情報よりも大きく表示される。これにより、上方向キーの入力だけによって新たな特定情報１１００とすることができる情報であるか、左右方向キーの入力を経た上で上方向キーを入力しなければ新たな特定情報１１００とできない情報であるかを、ユーザが視覚的に捉えやすくなる。
【０１４６】
また、特定情報１１００となる情報Ｂが有するキーワードであっても、キーワードｂのように非選択軸１１１１ｂ上に並べて表示装置１０５の表示領域内に特定情報１１００と関連する情報が表示されるものもあれば、キーワードｐのように表示装置１０５の表示領域内に特定情報１１００と関連する情報が表示されないものもある。このように、関連する情報を表示対象とするキーワードの数を制限することで、特定情報１１００に含まれるキーワードの数が大きくても、表示装置１０５上において特定情報１１００以外の情報が表示される大きさが小さくなり過ぎないで済む。また、関連する情報を表示対象とするキーワードの数を制限したとしても、一定数の情報が表示されているのであれば、ユーザが他の情報が特定情報１１００に対して有する関連性を視覚的に捉えるのに大きな妨げとなることもない。
【０１４７】
また、特定情報１１００となる情報Ｂに対する内容的な類似度のスコアが小さい情報やキーワードｐを含む情報のように、ある時点では表示装置１０５上に表示されていなくても、入力装置１０４の上下左右の方向キーの操作を繰り返すことによって、表示装置１０５上に表示されることとなる。このように、ユーザは視覚的に判断によって、特定情報１１００に関連する情報のうちである時点で表示装置１０５に表示されていなかった情報についても、最終的には表示装置１０５上に表示させることができるようになる。
【０１４８】
また、同じ関連キーワードを含む情報のうち、いずれの情報が特定情報１１００と近い位置に表示されるかは、特定情報１１００との内容的な類似度によって算出されるスコアの大小によって決定される。このように、同じキーワードを含む情報、すなわち同じ関連基準で特定情報１１００と関連付けられている情報であっても、特定情報１１００との関連性が高い情報ほど特定情報１１００の近くに表示することで、現在の特定情報１１００と他の情報との関係をユーザが視覚的に捉えやすくなる。
【０１４９】
ところで、特定情報１１００との内容的な類似度のスコアは、新たに特定情報１１００となる情報が定まった時において、算出されるものとなる。このため、選択軸１１１０上においていずれの情報が特定情報１１００と近い位置に表示されるかは、常に更新され、現時点において最適な情報がユーザにとって視覚的に判断しやすい位置に表示されることとなる。
【０１５０】
さらに、上方向キーの入力によって特定情報１１００が順次変更していくことや、左右方向キーの入力によって選択関連基準が順次変更していくことは、第１の実施の形態と同じとなっているので、この実施の形態においても第１の実施の形態と同様に、互いに複雑に関連付けられた複数の情報の中から視覚的な捉え方によってユーザが所望の情報に容易に辿り着くことができるという効果を得られる。さらに、特定情報１１００及び選択関連基準の選択状態の履歴の記録やブックマークについても、第１の実施の形態と同じ効果を得ることができる。
【０１５１】
［実施の形態の変形例］
本発明は、上記の第１〜第３の実施の形態に限られず、種々の変形、応用が可能である。以下、本発明に適用可能な上記の第１〜第３の実施の形態の変形態様について説明する。
【０１５２】
上記の第１〜第３の実施の形態において示した選択軸３１０、８１０、１１１０及び非選択軸３２０、３３０、８２０〜８５０、１１１１ｂ〜１１１１ｐ上に表示される情報の数は、各実施の形態で示した数に限るものではなく、特定情報３００、８００、１１００と、各々の関連基準で特定情報３００、８００、１１００に関連する情報を少なくとも１つ含めば、任意の数とすることができる。また、選択軸３１０、８１０、１１１０及び非選択軸３２０、３３０、８２０〜８５０、１１１１ｂ〜１１１１ｐ上に並べて表示する情報の数は、入力装置１０４からユーザの操作によって設定可能なものであってもよい。この場合には、ユーザは、表示装置１０５に表示された内容に応じて自らが視覚的に分かりやすい表示様態を選択することができるものとなる。
【０１５３】
また、ＣＰＵ１０１の制御によって、各軸上に表示される情報の数が変更されるものであってもよい。この場合には、ＣＰＵ１０１は、表示エリアや表示装置１０５に表示される表示態様に応じて最適な表示情報数を決定することで、ユーザは表示装置１０５に表示された情報を視覚的に捉えやすくなり、情報の選択をさらに容易に行えるようになる。
【０１５４】
また、第１、第２の実施の形態の場合でも第３の実施の形態の場合と同様に、表示装置１０５において選択軸上３１０、８１０、１１１０に表示される情報の数が非選択軸３２０、３３０、８２０〜８５０、１１１１ｂ〜１１１１ｐ上に表示される情報の数よりも多いものとしてもよい。このように、選択軸３１０、８１０、１１１０上の情報の数を非選択軸３２０、３３０、８２０〜８５０、１１１１ｂ〜１１１１ｐ上の情報の数以上とすることで、入力装置１０４の上下方向キーの入力だけで新たな特定情報３００、８００、１１００としていくことのできる他の情報を捉えやすくなる。
【０１５５】
なお、特定情報３００、８００、１１００以外に１つの軸上で同じ方向（ここでは、上と下は別方向と考える）に３以上の情報が並べられて表示される場合、特定情報３００、８００、１１００との関連性がより高い情報ほど、特定情報３００、８００、１１００に対してより近くに表示すると共に大きく表示するものとしてもよい。例えば、図１１の選択軸１１１０上に並べられている情報Ａ、Ｄ、Ｘについて、特定情報１１００との内容的な類似度の高い情報Ａ、Ｄ、Ｘの順で特定情報１１００の近くに表示するだけではなく、この順で大きく表示されるものとしてもよい。例えば、情報Ａは情報Ｄよりも大きく、情報Ｄは情報Ｘよりも大きく表示することができる。これにより、ユーザは、特定情報３００、８００、１１００と他の情報との関係を視覚的に捉えやすくなり、どのように新たな特定情報を選択していけば現在の特定情報３００、８００、１１００からユーザが所望する情報に辿り着けるかが視覚的に分かりやすくなる。
【０１５６】
上記の第１〜第３の実施の形態では、特定情報３００、８００、１１００および／または選択関連基準が変更される度に、履歴格納領域４０１〜４０ｎに特定情報３００、８００、１１００及び選択関連基準の新たな選択状態が記憶されるものとなっていた。これに対して、ブックマークした表示態様を復元した場合以外は、入力装置１０４からの上下左右方向キーの入力履歴によっても過去の特定情報および／または選択関連基準の選択状態を特定できるので、上下左右方向キーの入力の履歴を履歴格納領域４０１〜４０ｎに記録していくものとしてもよい。
【０１５７】
上記の第１〜第３の実施の形態では、メインメモリ１０２に設けられるブックマークバッファ４２０は、ただ１つであったが、複数設けられていてもよい。この場合には、ブックマークバッファを複数のブックマーク領域からなるリングバッファによって構成し、個々のブックマーク領域は、特定情報領域と選択基準領域とを含んでいるものとすればよい。そして、ポインタを設けるものとする。この場合には、□ボタン及び△ボタンの入力があった場合の制御が第１〜第３の実施の形態から以下のように変化する。
【０１５８】
ユーザが入力装置１０４の□ボタンから入力を行うと、ポインタの付されているブックマーク領域の次のブックマーク領域において、そのときに特定情報３００、８００、１１００として選択されている情報が特定情報領域に、そのときに選択関連基準として選択されている関連基準が選択基準領域に記録される。そして、ポインタは該ブックマーク領域に移動する。
【０１５９】
ユーザが入力装置１０４の△ボタンから入力を行うと、ポインタの付されているブックマーク領域の特定情報領域に記録された特定情報と選択基準領域に記録された関連基準が読み出され、ブックマークされた表示態様が復元されるとともに、新たな特定情報３００、８００、１１００と選択関連基準の選択状態として履歴格納領域に記録される。これと共に、ブックマークバッファのポインタが１つ前に戻される。従って、△ボタンの入力が２回連続すると、２つ前にブックマークされた特定情報と選択関連基準に応じた表示態様が復元されることとなる。なお、このように複数のブックマーク領域を設けた場合には、ポインタを戻す入力（ここでは、△ボタンの入力）だけでなく、ポインタを進める入力があるものとしてもよい。
【０１６０】
上記の第１〜第３の実施の形態では、入力装置１０４の□ボタンの入力時には、今回のタイミングにおける□ボタンの操作以前に、□ボタンの操作によってブックマークバッファ４２０に登録されているデータがある場合には、今回のタイミングにおける□ボタンの入力によって該登録されているデータは上書きされるものとしていたが、これに限るものではなく、ユーザに対して上書きするかどうかを問うものとしてもよい。この場合には、□ボタンの入力時において既にブックマークバッファ４２０に登録されているデータがある場合には、表示装置１０５上に「そのまま上書き（現在の表示態様をブックマーク）」、「過去のブックマークを表示する（現在の表示態様をブックマーク）」、「上書きしない」のいずれかを○ボタンの入力によって選択する画面を表示し、ユーザの判断により選択することができるものとすればよい。
【０１６１】
ここでは、ユーザは、□ボタンの入力によって新たに気になった特定情報３００、８００、１１００及び選択関連基準の選択状態をブックマークする際においても、過去のある時点で気になった特定情報及び選択関連基準の選択状態を確認できるようになり、知らない間にブックマークしたはずの特定情報及び選択関連基準の選択状態を復元できなくなるといったことがなく、ユーザが所望する情報の選択が容易になる。
【０１６２】
上記の第１〜第３の実施の形態では、表示装置１０５において表示される情報間の違いを、表示サイズや表示位置を変えることによって判断可能なものとしていたが、これに限るものではない。例えば、特定情報３００、８００、１１００から遠くの位置に表示される情報ほど明暗や、色彩や、トーンや、解像度などの画像的レベルを抑えるものとしてもよい。表示情報として動画など動くものを適用すれば、特定情報３００、８００、１１００から遠くの位置に表示される情報ほどスローに再生されるものとしてもよい。或いは、特定情報３００、８００、１１００以外の情報は停止しているものとしてもよい。これら情報の表示状態の設定をユーザの操作によって切り替え可能なものとしてもよい。この場合には、ユーザは所望の表示状態で情報の選択ができ、所望する情報の選択が容易になる。
【０１６３】
上記の第１〜第３の実施の形態では、特定情報、選択関連基準により特定情報と関連付けられた他の情報、選択関連基準以外の関連基準により特定情報と関連付けられた他の情報のいずれもが、常に表示装置１０５上に表示されるものとしていた。しかしながら、常に表示装置１０５上に表示される情報は、現時点で特定情報として選択されている情報だけであってもよく、他の情報は、必要に応じて表示装置１０５に表示されるものとしてもよい。
【０１６４】
図１３は、表示装置１０５に選択的に表示される情報の表示態様の変形例を示す図である。図１３（ａ）に示すように、表示装置１０５には、特定情報１３００（ここでは、情報Ａ）と、特定情報１３００である情報Ａを他の情報と関連付ける関連基準１３１０（ここでは、関連ａ〜関連ｚ）とが表示されている。入力装置１０４の上下方向キーを操作してカーソル１３２０を移動させることにより、関連ａ〜関連ｚのうちからいずれかの関連基準を選択することができる。図１３（ａ）の状態では、左右方向キーの入力はキャンセルされる。
【０１６５】
図１３（ａ）の状態から、例えば入力装置１０４の○ボタンの入力を行うと、図１３（ｂ）に示すように、特定情報１３００として情報Ａが表示されたまま、関連ａにより情報Ａと関連する情報Ｂ、Ｃ、Ｄが特定情報１３００に関連する情報１３３０〜１３３２として表示される。真ん中の情報１３３０は、入力装置１０４の○ボタンを入力することで、次に特定情報１３００として選択されることとなる情報である。
【０１６６】
図１３（ｂ）の状態から、入力装置１０４の左右方向キーを操作すると、その入力に従って次に特定情報として選択される情報１３３０、及びこれに隣接する情報１３３１、１３３２の情報内容が変化する。例えば、右方向キーを入力すると、次に特定情報として選択される情報１３３０が情報Ｃとなる。なお、図１３（ｂ）の状態から、例えば入力装置１０４の×ボタンの入力を行うと、表示装置１０５における情報の表示態様を、図１３（ａ）の状態に戻すことができる。
【０１６７】
図１３（ｂ）の状態から、入力装置１０４の○ボタンの入力を行うと、図１３（ｃ）に示すように、情報１３３０となっていた情報Ｂが特定情報１３００に変化し、特定情報１３００となっていた情報Ａが次に特定情報として選択される情報１３３０に変化する。また、これに伴って、情報１３３１、１３３２の情報内容も変わる場合がある。なお、図１３（ｃ）の状態から、例えば入力装置１０４の△ボタンの入力を行うと、表示装置１０５における情報の表示態様を、図１３（ｂ）の状態に戻すことができる。また、図１３（ｃ）の状態から、例えば入力装置１０４の×ボタンの入力を行うと、図１３（ａ）に示したのと同様な、特定情報１３００（ここでは、情報Ｂとなる）と関連基準１３１０（ここでは、情報Ｂを他の情報と関連付ける関連基準）が表示装置１０５に表示されるものとなる。
【０１６８】
上記の第１〜第３の実施の形態では、表示装置１０５に表示対象となる情報は、ＨＤＤ１０３に予め記憶されているものとしていた。しかしながら、電子番組表（ＥＰＧ）のようにインターネット上に存在するサーバ装置に記憶されているものであってもよい。また、複数のサーバ装置上に分散して記憶されているものであってもよい。ここで、第３の実施の形態では、情報１０１０、１０２０、…、１０３０毎に分散して記憶されるものとすることができるが、第２の実施の形態では、情報集合体７０１〜７０７毎に分散して記憶されるものとすることができる。
【０１６９】
また、第２、第３の実施の形態のように情報を検索する際には、インターネット上のサーバ装置が有する機能を利用し、特定情報８００、１１００に変化が生じる毎に、変化後の特定情報８００、１１００を示す情報を通信装置１０６からサーバ装置に送り、表示対象となる他の情報（第３の実施の形態では、表示領域外にある情報も含む）をサーバ装置から受信するものとしてもよい。選択関連基準が変化しただけのときは、表示対象となる情報の種類そのものに変化はないので、サーバ装置から情報を受け取る必要はない。
【０１７０】
このようにインターネット上に存在する情報を表示対象の情報として適用する場合には、表示装置１０５に表示可能な情報を情報処理装置ごと或いはユーザごとに制限するものとしてもよい。この場合には、表示可能な情報を、情報処理装置側で制限するものとしてもよいが、サーバ装置側で制限するものとしてもよい。ここでは、ユーザの年齢や、システムへの登録有無などによって表示装置１０５に表示する表示情報を制限することができる。
【０１７１】
上記の第１〜第３の実施の形態では、特定情報３００、８００、１１００が入力装置１０４の操作により順次変化していくことを説明していたが、どのような情報が最初に特定情報３００、８００、１１００として選択されるかについては説明していなかった。最初の特定情報３００、８００、１１００は、情報処理装置において適当に選択されるものとすることもできるが、表示装置１０５への表示対象となる情報の構成によってはユーザの指示に従って選択されるものとすることができる。最初の特定情報を選択するために、例えば、電子番組表を適用することができる。
【０１７２】
図１４（ａ）は、電子番組表の例を示す図である。図示するように、電子番組表では、横軸にチャンネルが、縦軸に時間が設定されて、チャンネルと時間毎に番組が一覧形式で表示される。電子番組表に従って最初の特定情報を選択するために、まず、この電子番組表を表示装置１０５に表示させるものとする。
【０１７３】
電子番組表では、入力装置１０４の左右キーを操作することによってチャンネルが変更され、上下方向キーを操作することによって時間が変更される。例えば、図１４（ａ）の状態では、２チャンネルの１１：３０のニュースが選択された状態（図において、網が目表示）となっている。ここで、左方向キーを操作した場合には、１チャンネルの１１：３０のニュースが選択された状態となり、上方向キーを操作した場合には、２チャンネルの１０：３０の報道スペシャルが選択された状態となる。例えば、ユーザが入力装置１０４の○ボタンを操作すると、選択された状態となっている番組が最初の特定情報となる。
【０１７４】
図１４（ｂ）は、２チャンネルの１１：３０のニュースが最初の特定情報として設定された場合における表示装置１０４における情報の表示態様の例を示す図である。ここでは、２チャンネルの１１：３０のニュースが特定情報１４００として表示装置１０５の中央に表示される。また、２チャンネルという同じ関連性で関連する他の番組が選択軸１４１０上に並べて表示され、ニュースという同じ関連性で関連する他の番組が選択軸１４２０上に並べて表示され、出演者が××太郎であるという同じ関連性で関連する他の番組が選択軸１４３０上に並べて表示される。
【０１７５】
このように一覧表示された情報（ここでは、個々の番組）からユーザの指示により所望の情報を最初の特定情報となる情報として選択させることで、ユーザの所望する情報にさらに容易に辿り着くことができるようになる。
【０１７６】
上記の第１〜第３の実施の形態では、表示装置１０５において表示される情報に関する情報を表示するものではなかったが、特定情報３００、８００、１１００に対してどのような関連基準が選択関連基準となっているかという情報を表示するものであってもよい。また、該選択関連基準によって特定情報３００、８００、１１００と関連付けられる情報数を表示するものであってもよい。ここでは、ユーザは選択軸３１０、８１０、１１００上に並べられた情報の数を把握しながら、表示状態を変更することができる。
【０１７７】
上記の第１〜第３の実施の形態では、入力装置１０４の方向入力キーとして上下左右の４つのキーを備えるものとしていた。しかしながら、方向入力を行うために必要な入力装置１０４の構成デバイスはこれに限るものではなく、方向キーのように特定情報３００、８００、１１００或いは選択関連基準の移行を指示するキーを備えるものであれば、ジョイスティック、或いはマウスやトラックボールなどを適用してもよい。また、タッチパネルなどのように直接的に特定情報３００、８００、１１００となる情報を指示するものであってもよい。入力装置１０４は、必ずしも情報処理装置の本体に含まれるものである必要はなく、リモコン（リモートコントローラ）のように離れた場所から入力を行うものであってもよい。
【０１７８】
上記の第１〜第３の実施の形態では、表示装置１０５に選択的に表示される情報やＣＰＵ１０１が実行するプログラムは、ＨＤＤ１０３に格納されているものとしていたが、これに限るものではない。通信装置１０６からネットワークを介して情報及びプログラムをサーバ装置からダウンロードして、メインメモリ１０２に格納するものとしてもよい。また、メインメモリ１０２に予め情報及びプログラムを格納した情報処理装置を提供することもできる。また、その他にも、プラットフォームとして適用するハードウェアに応じた様々な方法で情報及びプログラムを配布することができる。
【図面の簡単な説明】
【０１７９】
【図１】本発明の第１の実施の形態の処理を実行する情報処理装置の構成を示すブロック図である。
【図２】本発明の第１の実施の形態において表示装置に選択的に表示される情報の構成を模式的に示す図である。
【図３】本発明の第１の実施の形態において表示装置に選択的に表示される情報の表示態様の例を示す図である。
【図４】本発明の実施の形態において、メインメモリに設けられる履歴バッファの構成と、ブックマークバッファの構成を示す図である。
【図５】本発明の第１の実施の形態における処理を示すフローチャートである。
【図６】本発明の第１の実施の形態における情報の表示態様の変化を具体的に示す図である。
【図７】本発明の第２の実施の形態において表示装置に選択的に表示される情報の構成を模式的に示す図である。
【図８】本発明の第２の実施の形態において表示装置に選択的に表示される情報の表示態様の例を示す図である。
【図９】本発明の第２の実施の形態における処理を示すフローチャートである。
【図１０】本発明の第３の実施の形態において表示装置に選択的に表示される情報の構成を模式的に示す図である。
【図１１】本発明の第３の実施の形態において表示装置に選択的に表示される情報の表示態様の例を示す図である。
【図１２】本発明の第３の実施の形態における処理を示すフローチャートである。
【図１３】表示装置に選択的に表示される情報の表示態様の変形例を示す図である。
【図１４】電子番組表の例と、該電子番組表に従って最初に選択された特定情報に従って表示装置に表示される情報の表示態様の例を示す図である。
【符号の説明】
【０１８０】
１０１  ＣＰＵ
１０２  メインメモリ
１０３  ＨＤＤ
１０４  入力装置
１０５  表示装置
３００、８００、１１００  特定情報
３１０、８１０、１１１０  選択軸
３２０、３３０、８２０〜８５０、１１１１ｂ〜１１１１ｐ  非選択軸
４００  履歴バッファ
４０１〜４０ｎ  履歴格納領域
４２０  ブックマークバッファ
【図１】
0004536637.tif 000002
【図２】
0004536637.tif 000003
【図３】
0004536637.tif 000004
【図４】
0004536637.tif 000005
【図５】
0004536637.tif 000006
【図６】
0004536637.tif 000007
【図７】
0004536637.tif 000008
【図８】
0004536637.tif 000009
【図９】
0004536637.tif 000010
【図１０】
0004536637.tif 000011
【図１１】
0004536637.tif 000012
【図１２】
0004536637.tif 000013
【図１３】
0004536637.tif 000014
【図１４】
0004536637.tif 000015